(57)【要約】【課題】  鍵付き給紙部の施錠状態に適応して、画像処理装置のシーケンスを異ならしめて、利便性とセキュリティとが両立する種々のプリントサービスを展開することである。【解決手段】  １つまたは複数の鍵付き給紙部を含む複数の給紙部を有する給紙手段を備える画像処理装置であって、ＣＰＵ３０２が複数の給紙部のうち、前記鍵付き給紙部の鍵の施錠状態を判定し、該判定結果に基づいて、前記鍵付き給紙部から異なるシーケンスで用紙を給紙させる構成を特徴とする。【選択図】  図３
2005178359.tif 000002
【特許請求の範囲】
【請求項１】
１つまたは複数の鍵付き給紙部を含む複数の給紙部を有する給紙手段を備える画像処理装置であって、
前記複数の給紙部のうち、前記鍵付き給紙部の鍵の施錠状態を判定する判定手段と、
前記判定手段による判定結果に基づいて、前記鍵付き給紙部から異なるシーケンスで用紙を給紙させる制御手段と、
を有することを特徴とする画像処理装置。
【請求項２】
ジャムが発生したかどうかを検知する検知手段と、
前記検知手段がジャムの発生を検知した場合、前記判定手段による判定結果に基づいて、前記鍵付き給紙部に対して異なるリカバリ処理を行うリカバリ手段と、
を有することを特徴とする請求項１記載の画像処理装置。
【請求項３】
前記リカバリ処理は、ジャム発生を示す情報を所定の通知先に送信する処理と、ジャム発生を示す情報を操作部に表示する処理とを含むことを特徴とする請求項２記載の画像処理装置。
【請求項４】
所定の印刷条件を設定する設定手段を備え、
前記制御手段は、前記設定手段による所定の印刷条件に基づいて前記鍵付き給紙部から用紙を給紙させるシーケンスを実行することを特徴とする請求項１乃至３の何れかに記載の画像処理装置。
【請求項５】
前記設定手段による所定の印刷条件に基づいて外部装置へ特定データの取得要求を発行する発行手段と、
前記外部装置から前記特定データを取得する取得手段とを備え、
前記制御手段は、前記取得手段により取得された前記特定データをラスタライズして生成される画像データを前記鍵付き給紙部から給紙される用紙に印刷するシーケンスを実行することを特徴とする請求項４記載の画像処理装置。
【請求項６】
前記設定手段により設定される前記所定の印刷条件は、印刷種別、ユーザ情報、パスワードを含むことを特徴とする請求項４又は５記載の画像処理装置。
【請求項７】
前記発行手段は、前記判定手段により前記鍵付き給紙部の鍵の施錠状態が施錠されている状態である場合に、前記設定手段による所定の印刷条件に基づいて外部装置へ特定データの取得要求を発行することを特徴とする請求項５記載の画像処理装置。
【請求項８】
前記制御手段は、特定の種類の印刷ジョブを印刷する場合のみ、鍵付き給紙部より特定の用紙を給紙するシーケンスを実行することを特徴とする請求項１乃至７の何れかに記載の画像処理装置。
【請求項９】
前記特定の種類の印刷ジョブは、特定文書を印刷する印刷ジョブを含むことを特徴とする請求項８記載の画像処理装置。
【請求項１０】
前記特定文書は、住民票、有価証券を含むことを特徴とする請求項９記載の画像処理装置。
【請求項１１】
印刷処理に課せられる料金を決済する決済手段を備え、
前記制御手段は、前記決済手段により所定の料金を決済できた場合に、鍵付き給紙部より用紙を給紙するシーケンスを実行することを特徴とする請求項１乃至１０の何れかに記載の画像処理装置。
【請求項１２】
前記設定手段により設定されるユーザ情報、パスワードに基づいて認証処理を行う個人認証手段を備え、
前記制御手段は、前記個人認証手段により特定の操作者と認証できた場合に、鍵付き給紙部より用紙を給紙するシーケンスを実行することを特徴とする請求項１乃至１１の何れかに記載の画像処理装置。
【請求項１３】
前記個人認証手段は、指紋照合により特定の操作者か否かを認証することを特徴とする請求項１２記載の画像処理装置。
【請求項１４】
前記制御手段は、鍵が開錠状態である場合、鍵付き給紙部を鍵なし給紙カセットとみなしてシーケンスを実行することを特徴とする請求項１乃至１２の何れかに記載の画像処理装置。
【請求項１５】
前記１つ以上の鍵付き給紙部は、用紙残量センサを備え、
前記制御手段は、前記外部装置に特定用紙の補給を依頼する通知を行うことを特徴とする請求項１乃至１４の何れかに記載の画像処理装置。
【請求項１６】
前記制御手段は、前記判定手段が鍵付き給紙部が施錠状態から開錠状態に変化したと判定した場合に、その旨を前記外部装置に通知することを特徴とする請求項１乃至１５の何れかに記載の画像処理装置。
【請求項１７】
前記通知は、電子メールによる送信処理、電話回線に対する発呼処理にて前記外部装置に通知することを特徴とする請求項１６記載の画像処理装置。
【請求項１８】
前記制御手段は、前記判定手段による判定結果に基づいて、前記鍵付き給紙部からの給紙を制限することを特徴とする請求項１乃至１７の何れかに記載の画像処理装置。
【請求項１９】
前記制御手段は、前記判定手段による判定結果に基づいて、前記鍵付き給紙部を手動選択候補から除外することを特徴とする請求項１８記載の画像処理装置。
【請求項２０】
前記制御手段は、前記判定手段による判定結果に基づいて、前記鍵付き給紙部を手動選択表示候補から除外することを特徴とする請求項１８記載の画像処理装置。
【請求項２１】
前記制御手段は、前記判定手段による判定結果に基づいて、前記鍵付き給紙部を鍵なしの給紙部と異なる形態で操作部に表示することを特徴とする請求項１乃至２０の何れかに記載の画像処理装置。
【請求項２２】
１つまたは複数の鍵付き給紙部を含む複数の給紙部を有する給紙手段を備える画像処理装置における画像処理方法であって、
前記複数の給紙部のうち、前記鍵付き給紙部の鍵の施錠状態を判定する判定ステップと、
前記判定ステップによる判定結果に基づいて、前記鍵付き給紙部から異なるシーケンスで用紙を給紙させる制御ステップと、
を有することを特徴とする画像処理方法。
【請求項２３】
ジャムが発生したどうかを検知する検知ステップと、
前記検知ステップがジャムの発生を検知した場合、前記判定ステップによる判定結果に基づいて、前記鍵付き給紙部に対して異なるリカバリ処理を行うリカバリステップと、
を有することを特徴とする請求項２２記載の画像処理方法。
【請求項２４】
前記リカバリ処理は、ジャム発生を示す情報を所定の通知先に送信する処理と、ジャム発生を示す情報を操作部に表示する処理とを含むことを特徴とする請求項２２記載の画像処理方法。
【請求項２５】
所定の印刷条件を設定する設定ステップを備え、
前記制御ステップは、前記設定ステップによる所定の印刷条件に基づいて前記鍵付き給紙部から用紙を給紙させるシーケンスを実行することを特徴とする請求項２２記載の画像処理方法。
【請求項２６】
前記設定ステップによる所定の印刷条件に基づいて外部装置へ特定データの取得要求を発行する発行ステップと、
前記外部装置から前記特定データを取得する取得ステップとを備え、
前記制御ステップは、前記取得ステップにより取得された前記特定データをラスタライズして生成される画像データを前記鍵付き給紙部から給紙される用紙に印刷するシーケンスを実行することを特徴とする請求項２２記載の画像処理方法。
【請求項２７】
前記設定ステップにより設定される前記所定の印刷条件は、印刷種別、ユーザ情報、パスワードを含むことを特徴とする請求項２２記載の画像処理方法。
【請求項２８】
前記発行ステップは、前記判定ステップにより前記鍵付き給紙部の鍵の施錠状態が施錠されている状態である場合に、前記設定ステップによる所定の印刷条件に基づいて外部装置へ特定データの取得要求を発行することを特徴とする請求項２２記載の画像処理方法。
【請求項２９】
前記制御ステップは、特定の種類の印刷ジョブを印刷する場合のみ、鍵付き給紙部より特定の用紙を給紙するシーケンスを実行することを特徴とする請求項２２記載の画像処理方法。
【請求項３０】
請求項２２〜２９のいずれかに記載の画像処理方法を実行させるためのプログラムを格納したことを特徴とするコンピュータが読み取り可能な記憶媒体。
【請求項３１】
鍵付きシート収納手段を具備する画像形成装置であって、
前記鍵付きシート収納手段が施錠された状態で該鍵付きシート収納手段を利用することを許可する制御手段を有し、
更に、前記制御手段は、
前記鍵付きシート収納手段が開錠された状態で該鍵付きシート収納手段を利用することを許可するが、前記鍵付きシート収納手段が施錠された状態で該鍵付きシート収納手段を利用する場合における前記画像形成装置の動作と同じ動作を前記鍵付きシート収納手段が開錠された状態で該鍵付きシート収納手段を利用する場合において実行することを禁止することを特徴とする画像形成装置。
【請求項３２】
鍵付きシート収納手段を具備する画像形成装置であって、
該鍵付きシート収納手段を利用した動作として、第１動作と第２動作を前記画像形成装置により選択的に実行させる制御手段を有し、
前記制御手段は、
前記鍵付きシート収納手段の施錠状態が第１状態において前記第１動作を前記画像形成装置に実行させ、一方、前記鍵付きシート収納手段の施錠状態が第２状態において前記第１動作の実行を禁止して前記第２動作を前記画像形成装置により実行可能にすることを特徴とする画像形成装置。
【請求項３３】
鍵付きタイプのシート収納手段と鍵無しタイプのシート収納手段の両方を含む複数のシート収納手段を具備する画像形成装置であって、
前記鍵付きタイプのシート収納手段のシートを用いた第１印刷処理を一連の印刷動作において実行することを許可し、且つ、前記鍵無しタイプのシート収納手段のシートを用いた第２印刷処理を前記一連の印刷動作において実行することを禁止する、第１動作と、
前記第１印刷処理を前記一連の印刷動作において実行することを許可し、且つ、前記第２処理を前記一連の印刷動作において実行することを許可する、第２動作と、のうちの、
前記第１動作を前記鍵付きシート収納手段の施錠状態が第１状態の場合において前記画像形成装置により実行可能にする一方で、前記第２動作を前記鍵付きシート収納手段の施錠状態が第２状態の場合において前記画像形成装置により実行可能にする制御手段を有することを特徴とする画像形成装置。
【請求項３４】
鍵付きタイプのシート収納手段と鍵無しタイプのシート収納手段の両方を含む複数のシート収納手段を具備する画像形成装置であって、
前記鍵付きタイプのシート収納手段のシートを用いて印刷処理を開始した後に  前記鍵無しタイプのシート収納手段のシートを用いて印刷処理を前記画像形成装置に継続させることを禁止する、第１動作と、
前記鍵付きタイプのシート収納手段のシートを用いて印刷処理を開始した後に前記鍵無しタイプのシート収納手段のシートを用いて印刷処理を前記画像形成装置に継続させることを許可する、第２動作と、のうちの、
前記第１動作を前記鍵付きタイプのシート収納手段の施錠状態が第１状態の場合において前記画像形成装置により実行可能にする一方で、前記第２動作を前記鍵付きタイプのシート収納手段の施錠状態が第２状態の場合において前記画像形成装置により実行可能にする制御手段を有することを特徴とする画像形成装置。
【請求項３５】
鍵付きタイプのシート収納手段と鍵無しタイプのシート収納手段の両方を含む複数のシート収納手段を具備する画像形成装置であって、
前記鍵無しタイプのシート収納手段のシートを用いて印刷処理を開始した後に前記鍵付きタイプのシート収納手段のシートを用いて印刷処理を前記画像形成装置に継続させること禁止する、第１動作と、
前記鍵無しタイプのシート収納手段のシートを用いて印刷処理を開始した後に前記鍵付きタイプのシート収納手段のシートを用いて印刷処理を前記画像形成装置に継続させることを許可する、第２動作と、のうちの、
前記第１動作を前記鍵付きタイプのシート収納手段の施錠状態が第１状態の場合において前記画像形成装置により実行可能にする一方で、前記第２動作を前記鍵付きタイプのシート収納手段の施錠状態が第２状態の場合において前記画像形成装置により実行可能にする制御手段を有することを特徴とする画像形成装置。
【請求項３６】
鍵付きタイプのシート収納手段と鍵無しタイプのシート収納手段の両方を含む複数のシート収納手段を具備し、第１画像形成モード及び第２画像形成モードを含む複数の画像形成モードを有する、画像形成装置であって、
前記鍵付きタイプのシート収納手段の施錠状態が第１状態の場合において前記第１画像形成モードのユーザによる選択を許可する一方で、前記第１状態にてユーザにより選択を許可する前記第１画像形成モードの選択を前記鍵付きタイプのシート収納手段の施錠状態が第２状態の場合において禁止する、制御手段を有することを特徴とする画像形成装置。
【請求項３７】
前記制御手段は、
前記第２状態にてユーザにより選択を許可する前記第２画像形成モードの選択を前記第１状態において許可することを特徴とする請求項３６記載の画像形成装置。
【請求項３８】
前記第１画像形成モードは個人情報を含んだデータの印刷処理を行う画像形成モードを含み、前記第２画像形成モードは個人情報を含んでいないデータの印刷処理を行う画像形成モードを含むことを特徴とする請求項３６又は３７記載の画像形成装置。
【請求項３９】
前記第１画像形成モードは前記第２画像形成モードよりもセキュリティレベルの高い印刷モードを含むことを特徴とする請求項３６乃至３８の何れかに記載の画像形成装置。
【請求項４０】
前記第１画像形成モードは住民票印刷モードを含み、前記第２画像形成モードは、前記住民票印刷モードとは異なる画像形成モードを含むことを特徴とする請求項３６乃至３９の何れかに記載の画像形成装置。
【請求項４１】
前記第２画像形成モードは通常コピーモードを含み、前記第１画像形成モードは、前記通常コピーモードとは異なる画像形成モードを含むことを特徴とする請求項３６乃至４０の何れかに記載の画像形成装置。
【請求項４２】
前記制御手段は、
前記第１状態において前記画像形成装置に対する指示を入力する為の第１表示を操作部に実行させる一方で、前記第２状態において前記第１表示とは異なる第２表示を前記操作部に実行させることを特徴とする請求項３２乃至４１の何れかに記載の画像形成装置。
【請求項４３】
前記制御手段は、
前記第１状態において前記画像形成装置にてエラーが発生した場合に第１エラー処理を実行させる一方で、前記第２状態において画像形成装置にてエラーが発生した場合に前記第１エラー処理とは異なる第２エラー処理を実行させることを特徴とする請求項３２乃至４２の何れかに記載の画像形成装置。
【請求項４４】
前記第１エラー処理は、前記画像形成装置とは異なる遠隔装置にエラーが発生した旨を通報する外部通報処理を含み、前記第２エラー処理は、前記画像形成装置の操作部にエラーが発生した旨を報知させる処理を含むことを特徴とする請求項４３記載の画像形成装置。
【請求項４５】
前記第１状態は前記鍵付きシート収納手段が施錠された状態を含み、前記第２状態は前記鍵付きシート収納手段が開錠された状態を含むことを特徴とする請求項３２乃至４４の何れかに記載の画像形成装置。
【請求項４６】
前記画像形成装置は、スキャナユニットからの画像データ及び外部装置からの画像データの少なくとも何れかの画像データを印刷可能な装置を含むことを特徴とする請求項３１乃至４５の何れかに記載の画像形成装置。
【請求項４７】
鍵付きシート収納手段を具備する画像形成装置の制御方法であって、
前記鍵付きシート収納手段が施錠された状態で該鍵付きシート収納手段を利用することを許可する制御ステップを有し、
更に、前記制御ステップは、
前記鍵付きシート収納手段が開錠された状態で該鍵付きシート収納手段を利用することも許可するが、前記鍵付きシート収納手段が施錠された状態で該鍵付きシート収納手段を利用する場合における前記画像形成装置の動作と同じ動作を前記鍵付きシート収納手段が開錠された状態で該鍵付きシート収納手段を利用する場合において実行することを禁止することを特徴とする制御方法。
【請求項４８】
鍵付きシート収納手段を具備する画像形成装置の制御方法であって、
該鍵付きシート収納手段を利用した動作として、第１動作と第２動作を前記画像形成装置により選択的に実行させる制御ステップを有し、
前記制御ステップは、
前記鍵付きシート収納手段の施錠状態が第１状態において前記第１動作を前記画像形成装置により実行可能にする一方で、前記鍵付きシート収納手段の施錠状態が第２状態において前記第１動作の実行を禁止して前記第２動作を前記画像形成装置により実行可能にすることを特徴とする制御方法。
【請求項４９】
鍵付きタイプのシート収納手段と鍵無しタイプのシート収納手段の両方を含む複数のシート収納手段を具備する画像形成装置の制御方法であって、
前記鍵付きタイプのシート収納手段のシートを用いた第１印刷処理を一連の印刷動作において実行することを許可し、且つ、前記鍵無しタイプのシート収納手段のシートを用いた第２印刷処理を前記一連の印刷動作において実行することを禁止する、第１動作と、
前記第１印刷処理を前記一連の印刷動作において実行することを許可し、且つ、前記第２処理を前記一連の印刷動作において実行することを許可する、第２動作と、のうちの、
前記第１動作を前記鍵付きシート収納手段の施錠状態が第１状態の場合において前記画像形成装置により実行可能にする一方で、前記第２動作を前記鍵付きシート収納手段の施錠状態が第２状態の場合において前記画像形成装置により実行可能にする制御ステップを有することを特徴とする制御方法。
【請求項５０】
鍵付きタイプのシート収納手段と鍵無しタイプのシート収納手段の両方を含む複数のシート収納手段を具備する画像形成装置の制御方法であって、
前記鍵付きタイプのシート収納手段のシートを用いて印刷処理を開始した後に前記鍵無しタイプのシート収納手段のシートを用いて印刷処理を前記画像形成装置に継続させること禁止する、第１動作と、
前記鍵付きタイプのシート収納手段のシートを用いて印刷処理を開始した後に前記鍵無しタイプのシート収納手段のシートを用いて印刷処理を前記画像形成装置に継続させることを許可する、第２動作と、のうちの、
前記第１動作を前記鍵付きタイプのシート収納手段の施錠状態が第１状態の場合において前記画像形成装置により実行可能にする一方で、前記第２動作を前記鍵付きシート収納手段の施錠状態が第２状態の場合において前記画像形成装置により実行可能にする制御ステップを有することを特徴とする制御方法。
【請求項５１】
鍵付きタイプのシート収納手段と鍵無しタイプのシート収納手段の両方を含む複数のシート収納手段を具備する画像形成装置の制御方法であって、
前記鍵無しタイプのシート収納手段のシートを用いて印刷処理を開始した後に前記鍵付きタイプのシート収納手段のシートを用いて印刷処理を前記画像形成装置に継続させること禁止する、第１動作と、
前記鍵無しタイプのシート収納手段のシートを用いて印刷処理を開始した後に前記鍵付きタイプのシート収納手段のシートを用いて印刷処理を前記画像形成装置に継続させることを許可する、第２動作と、のうちの、
前記第１動作を前記鍵付きシート収納手段の施錠状態が第１状態の場合において前記画像形成装置により実行可能にする一方で、前記第２動作を前記鍵付きシート収納手段の施錠状態が第２状態の場合において前記画像形成装置により実行可能にする制御ステップを有することを特徴とする制御方法。
【請求項５２】
鍵付きタイプのシート収納手段と鍵無しタイプのシート収納手段の両方を含む複数のシート収納手段を具備し、第１画像形成モード及び第２画像形成モードを含む複数の画像形成モードを有する、画像形成装置の制御方法であって、
前記鍵付きシート収納手段の施錠状態が第１状態の場合において前記第１画像形成モードのユーザによる選択を許可する一方で、前記第１状態にてユーザにより選択を許可する前記第１画像形成モードの選択を前記鍵付きシート収納手段の施錠状態が第２状態の場合において禁止する、制御ステップを有することを特徴とする制御方法。
【請求項５３】
前記制御ステップは、
前記第２状態にてユーザにより選択を許可する前記第２画像形成モードの選択を前記第１状態において許可することを特徴とする請求項５２記載の制御方法。
【請求項５４】
前記第１画像形成モードは個人情報を含んだデータの印刷処理を行う画像形成モードを含み、前記第２画像形成モードは個人情報を含んでいないデータの印刷処理を行う画像形成モードを含むことを特徴とする請求項５２又は５３記載の制御方法。
【請求項５５】
前記第１画像形成モードは前記第２画像形成モードよりもセキュリティレベルの高い印刷モードを含むことを特徴とする請求項５２乃至５４の何れかに記載の制御方法。
【請求項５６】
前記第１画像形成モードは住民票印刷モードを含み、前記第２画像形成モードは、前記住民票印刷モードとは異なる画像形成モードを含むことを特徴とする請求項５２乃至５５の何れかに記載の制御方法。
【請求項５７】
前記第２画像形成モードは通常コピーモードを含み、前記第１画像形成モードは、前記通常コピーモードとは異なる画像形成モードを含むことを特徴とする請求項５２乃至５６の何れかに記載の制御方法。
【請求項５８】
前記制御ステップは、
前記第１状態において前記画像形成装置に対する指示を入力する為の第１表示を操作部に実行させる一方で、前記第２状態において前記第１表示とは異なる第２表示を前記操作部に実行させることを特徴とする請求項４８乃至５７の何れかに記載の制御方法。
【請求項５９】
前記制御ステップは、
前記第１状態において前記画像形成装置にてエラーが発生した場合に第１エラー処理を実行させる一方で、前記第２状態において画像形成装置にてエラーが発生した場合に前記第１エラー処理とは異なる第２エラー処理を実行させることを特徴とする請求項４８乃至５８の何れかに記載の制御方法。
【請求項６０】
前記第１エラー処理は、前記画像形成装置とは異なる遠隔装置にエラーが発生した旨を通報する外部通報処理を含み、前記第２エラー処理は、前記画像形成装置の操作部にエラーが発生した旨を報知させる処理を含むことを特徴とする請求項５９記載の制御方法。
【請求項６１】
前記第１状態は前記鍵付きシート収納手段が施錠された状態を含み、前記第２状態は前記鍵付きシート収納手段が開錠された状態を含むことを特徴とする請求項４８乃至６０の何れかに記載の制御方法。
【請求項６２】
前記画像形成装置は、スキャナユニットからの画像データ及び外部装置からの画像データの少なくとも何れかの画像データを印刷可能な装置を含むことを特徴とする請求項４７乃至６１の何れかに記載の制御方法。
【請求項６３】
請求項４７乃至６２の何れかに記載の制御方法を実行する為のプログラムを記憶したことを特徴とするコンピュータ読取可能な記憶媒体。
【請求項６４】
請求項２２乃至２９の何れかに記載の画像処理方法を実行させることを特徴とするプログラム。
【請求項６５】
請求項４７乃至６２の何れかに記載の制御方法を実行させることを特徴とするプログラム。
【発明の詳細な説明】
【技術分野】
【０００１】
本発明は、１つまたは複数の鍵付きシート収納部を有する画像処理装置および画像処理方法および画像形成装置および制御方法およびコンピュータが読み取り可能なプログラムを格納した記憶媒体およびプログラムに関するものである。
【背景技術】
【０００２】
近年の印刷システムにおいても、電子政府等を背景に、各種証明書や公文書をオンデマンドで印刷する需要が増えつつある。サービス性の向上を目的に、コンビニエンスストア等での印刷サービスが提供可能な環境が整備されつつある。
【０００３】
一方、このような公共サービスには、印刷物の正当性、原本性を認識できるよう、印鑑や透かし等の特殊用紙への対応が求められている。
【０００４】
また、非接触で情報の読み出しや書換えが可能なデバイスとしてＲＦＩＤ（Ｒａｄｉｏ  Ｆｒｅｑｕｅｎｃｙ  ＩＤｅｎｔｉｆｉｃａｔｉｏｎｓｙｓｔｅｍ）が普及してきている。このデバイスとして、例えば０．４ｍｍ角程度の微細なチップも開発されてきており、用紙に実装して印刷物のＩＤ管理や偽造防止への応用が考えられている。このような微細なＲＦＩＤチップを実装した用紙も、上記のような特殊用紙として、各種証明書や公文書、伝票などの印刷に用いられる応用も考えられる。
【０００５】
このような、透かし、ＲＦＩＤ付き用紙、押印済み用紙などを給紙カセットに入れて印刷することは従来のプリンタや複合機でも可能である。
【０００６】
しかしそのような用紙は、悪用されないように、管理できるしくみがないと実用化は難しい状況となっている。
【０００７】
特に、コンビニエンスストアに置かれる複合機を想定した場合は、一般客が用紙カセットも操作できてしまうため、上記のような用途には適用が困難な状況である。
【０００８】
一方、用紙カセットに施錠装置をつけて管理するものが特許文献１として既に公開されている。
【特許文献１】特開２００１−１２１７９５号公報
【発明の開示】
【発明が解決しようとする課題】
【０００９】
しかしながら、特開２００１−１２１７９５号公報に開示されている技術では、単に必要なユニットにのみ施錠装置をつけられるようにしたものであり、小型のＬＢＰのように１段のカセットしか装備しないプリンタにおいて、最小限のコストで施錠装置を備えた用紙カセットを持つモデルを提供するためのものである。
【００１０】
複数の給紙カセットを備える複合機では、施錠装置を備えた用紙カセットに対する特有な制御を求められ、そのような要求に応える技術はこれまで提案されていなかった。
【００１１】
本発明は、上記の課題を解決するためになされたもので、本発明の目的は、上述の問題を解決できる、画像処理装置および画像処理方法および画像形成装置および制御方法およびコンピュータが読み取り可能なプログラムを格納した記憶媒体およびプログラムを提供することを目的とする。
【００１２】
又、本発明は、利便性とセキュリティとが両立する種々のプリントサービスを展開できる画像処理環境を構築できる画像処理装置および画像処理方法および画像形成装置および制御方法およびコンピュータが読み取り可能なプログラムを格納した記憶媒体およびプログラムを提供することである。
【００１３】
又、本発明は、オフィス環境、市役所等、互いに環境が異なる複数種類の利用環境のぞれぞれの環境に適した柔軟で且つ使い勝手の良い便利な装置、システムを提供できるようにすることを目的とする。
【課題を解決するための手段】
【００１４】
上記目的を達成する本発明の画像処理装置は以下に示す構成を備える。
【００１５】
１つまたは複数の鍵付き給紙部を含む複数の給紙部を有する給紙手段を備える画像処理装置であって、前記複数の給紙部のうち、前記鍵付き給紙部の鍵の施錠状態を判定する判定手段と、前記判定手段による判定結果に基づいて、前記鍵付き給紙部から異なるシーケンスで用紙を給紙させる制御手段とを有することを特徴とする。
【００１６】
上記目的を達成する本発明の画像処理方法は以下に示す構成を備える。
【００１７】
１つまたは複数の鍵付き給紙部を含む複数の給紙部を有する給紙手段を備える画像処理装置における画像処理方法であって、前記複数の給紙部のうち、前記鍵付き給紙部の鍵の施錠状態を判定する判定ステップと、前記判定ステップによる判定結果に基づいて、前記鍵付き給紙部から異なるシーケンスで用紙を給紙させる制御ステップとを有することを特徴とする。
【００１８】
上記目的を達成する本発明の画像形成装置は以下に示す構成を備える。
【００１９】
鍵付きシート収納手段を具備する画像形成装置であって、前記鍵付きシート収納手段が施錠された状態で該鍵付きシート収納手段を利用することを許可する制御手段を有し、更に、前記制御手段は、前記鍵付きシート収納手段が開錠された状態で該鍵付きシート収納手段を利用することを許可するが、前記鍵付きシート収納手段が施錠された状態で該鍵付きシート収納手段を利用する場合における前記画像形成装置の動作と同じ動作を前記鍵付きシート収納手段が開錠された状態で該鍵付きシート収納手段を利用する場合において実行することを禁止することを特徴とする。
【００２０】
また、鍵付きシート収納手段を具備する画像形成装置であって、該鍵付きシート収納手段を利用した動作として、第１動作と第２動作を前記画像形成装置により選択的に実行させる制御手段を有し、前記制御手段は、前記鍵付きシート収納手段の施錠状態が第１状態において前記第１動作を前記画像形成装置に実行させ、一方、前記鍵付きシート収納手段の施錠状態が第２状態において前記第１動作の実行を禁止して前記第２動作を前記画像形成装置により実行可能にすることを特徴とする。
【００２１】
さらに、鍵付きタイプのシート収納手段と鍵無しタイプのシート収納手段の両方を含む複数のシート収納手段を具備する画像形成装置であって、前記鍵付きタイプのシート収納手段のシートを用いた第１印刷処理を一連の印刷動作において実行することを許可し、且つ、前記鍵無しタイプのシート収納手段のシートを用いた第２印刷処理を前記一連の印刷動作において実行することを禁止する、第１動作と、前記第１印刷処理を前記一連の印刷動作において実行することを許可し、且つ、前記第２処理を前記一連の印刷動作において実行することを許可する、第２動作と、のうちの、前記第１動作を前記鍵付きタイプのシート収納手段の施錠状態が第１状態の場合において前記画像形成装置により実行可能にする一方で、前記第２動作を前記鍵付きタイプのシート収納手段の施錠状態が第２状態の場合において前記画像形成装置により実行可能にする制御手段を有することを特徴とする。
【００２２】
また、鍵付きタイプのシート収納手段と鍵無しタイプのシート収納手段の両方を含む複数のシート収納手段を具備する画像形成装置であって、前記鍵付きタイプのシート収納手段のシートを用いて印刷処理を開始した後に  前記鍵無しタイプのシート収納手段のシートを用いて印刷処理を前記画像形成装置に継続させること禁止する、第１動作と、前記鍵付きタイプのシート収納手段のシートを用いて印刷処理を開始した後に前記鍵無しタイプのシート収納手段のシートを用いて印刷処理を前記画像形成装置に継続させることを許可する、第２動作と、のうちの、前記第１動作を前記鍵付きシート収納手段の施錠状態が第１状態の場合において前記画像形成装置により実行可能にする一方で、前記第２動作を前記鍵付きシート収納手段の施錠状態が第２状態の場合において前記画像形成装置により実行可能にする制御手段を有することを特徴とする。
【００２３】
さらに、鍵付きタイプのシート収納手段と鍵無しタイプのシート収納手段の両方を含む複数のシート収納手段を具備する画像形成装置であって、前記鍵無しタイプのシート収納手段のシートを用いて印刷処理を開始した後に前記鍵付きタイプのシート収納手段のシートを用いて印刷処理を前記画像形成装置に継続させること禁止する、第１動作と、前記鍵無しタイプのシート収納手段のシートを用いて印刷処理を開始した後に前記鍵付きタイプのシート収納手段のシートを用いて印刷処理を前記画像形成装置に継続させることを許可する、第２動作と、のうちの、前記第１動作を前記鍵付きシート収納手段の施錠状態が第１状態の場合において前記画像形成装置により実行可能にする一方で、前記第２動作を前記鍵付きシート収納手段の施錠状態が第２状態の場合において前記画像形成装置により実行可能にする制御手段を有することを特徴とする。
【００２４】
さらに、鍵付きタイプのシート収納手段と鍵無しタイプのシート収納手段の両方を含む複数のシート収納手段を具備し、第１画像形成モード及び第２画像形成モードを含む複数の画像形成モードを有する、画像形成装置であって、前記鍵付きシート収納手段の施錠状態が第１状態の場合において前記第１画像形成モードのユーザによる選択を許可する一方で、前記第１状態にてユーザにより選択を許可する前記第１画像形成モードの選択を前記鍵付きシート収納手段の施錠状態が第２状態の場合において禁止する、制御手段を有することを特徴とする。
【００２５】
上記目的を達成する本発明の制御方法は以下に示す構成を備える。
【００２６】
鍵付きシート収納手段を具備する画像形成装置の制御方法であって、前記鍵付きシート収納手段が施錠された状態で該鍵付きシート収納手段を利用することを許可する制御ステップを有し、更に、前記制御ステップは、前記鍵付きシート収納手段が開錠された状態で該鍵付きシート収納手段を利用することも許可するが、前記鍵付きシート収納手段が施錠された状態で該鍵付きシート収納手段を利用する場合における前記画像形成装置の動作と同じ動作を前記鍵付きシート収納手段が開錠された状態で該鍵付きシート収納手段を利用する場合において実行することを禁止することを特徴とする。
【００２７】
また、鍵付きシート収納手段を具備する画像形成装置の制御方法であって、該鍵付きシート収納手段を利用した動作として、第１動作と第２動作を前記画像形成装置により選択的に実行させる制御ステップを有し、前記制御ステップは、前記鍵付きシート収納手段の施錠状態が第１状態において前記第１動作を前記画像形成装置により実行可能にする一方で、前記鍵付きシート収納手段の施錠状態が第２状態において前記第１動作の実行を禁止して前記第２動作を前記画像形成装置により実行可能にすることを特徴とする。
【００２８】
また、鍵付きタイプのシート収納手段と鍵無しタイプのシート収納手段の両方を含む複数のシート収納手段を具備する画像形成装置の制御方法であって、前記鍵付きタイプのシート収納手段のシートを用いた第１印刷処理を一連の印刷動作において実行することを許可し、且つ、前記鍵無しタイプのシート収納手段のシートを用いた第２印刷処理を前記一連の印刷動作において実行することを禁止する、第１動作と、前記第１印刷処理を前記一連の印刷動作において実行することを許可し、且つ、前記第２処理を前記一連の印刷動作において実行することを許可する、第２動作と、のうちの、前記第１動作を前記鍵付きシート収納手段の施錠状態が第１状態の場合において前記画像形成装置により実行可能にする一方で、前記第２動作を前記鍵付きシート収納手段の施錠状態が第２状態の場合において前記画像形成装置により実行可能にする制御ステップを有することを特徴とする。
【００２９】
さらに、鍵付きタイプのシート収納手段と鍵無しタイプのシート収納手段の両方を含む複数のシート収納手段を具備する画像形成装置の制御方法であって、前記鍵付きタイプのシート収納手段のシートを用いて印刷処理を開始した後に前記鍵無しタイプのシート収納手段のシートを用いて印刷処理を前記画像形成装置に継続させること禁止する、第１動作と、前記鍵付きタイプのシート収納手段のシートを用いて印刷処理を開始した後に前記鍵無しタイプのシート収納手段のシートを用いて印刷処理を前記画像形成装置に継続させることを許可する、第２動作と、のうちの、前記第１動作を前記鍵付きシート収納手段の施錠状態が第１状態の場合において前記画像形成装置により実行可能にする一方で、前記第２動作を前記鍵付きシート収納手段の施錠状態が第２状態の場合において前記画像形成装置により実行可能にする制御ステップを有することを特徴とする。
【００３０】
また、鍵付きタイプのシート収納手段と鍵無しタイプのシート収納手段の両方を含む複数のシート収納手段を具備する画像形成装置の制御方法であって、前記鍵無しタイプのシート収納手段のシートを用いて印刷処理を開始した後に前記鍵付きタイプのシート収納手段のシートを用いて印刷処理を前記画像形成装置に継続させること禁止する、第１動作と、前記鍵無しタイプのシート収納手段のシートを用いて印刷処理を開始した後に前記鍵付きタイプのシート収納手段のシートを用いて印刷処理を前記画像形成装置に継続させることを許可する、第２動作と、のうちの、前記第１動作を前記鍵付きシート収納手段の施錠状態が第１状態の場合において前記画像形成装置により実行可能にする一方で、前記第２動作を前記鍵付きシート収納手段の施錠状態が第２状態の場合において前記画像形成装置により実行可能にする制御ステップを有することを特徴とする。
【００３１】
また、鍵付きタイプのシート収納手段と鍵無しタイプのシート収納手段の両方を含む複数のシート収納手段を具備し、第１画像形成モード及び第２画像形成モードを含む複数の画像形成モードを有する、画像形成装置の制御方法であって、前記鍵付きシート収納手段の施錠状態が第１状態の場合において前記第１画像形成モードのユーザによる選択を許可する一方で、前記第１状態にてユーザにより選択を許可する前記第１画像形成モードの選択を前記鍵付きシート収納手段の施錠状態が第２状態の場合において禁止する、制御ステップを有することを特徴とする。
【発明の効果】
【００３２】
本発明によれば、たとえば、鍵付きシート収納部を具備する装置において該鍵付きシート収納部が施錠状態でも開錠状態でも該装置を利用可能にしたうえで、鍵付きシート収納部が施錠状態の場合と、鍵付きシート収納部が開錠状態の場合とで、異なるシーケンスで該装置を自在に動作させることができ、利便性とセキュリティとが両立する種々のプリントサービスを展開できる画像処理環境を構築できるという効果を奏し、又、上述の構成により、オフィス環境、市役所等、互いに環境が異なる複数種類の利用環境のぞれぞれの環境に適した柔軟で且つ使い勝手の良い便利な装置、システムを提供できるという効果を奏する。
【発明を実施するための最良の形態】
【００３３】
次に本発明を実施するための最良の形態について図面を参照して説明する。
【００３４】
＜システム構成の説明＞
〔第１実施形態〕
図１は、本発明の第１実施形態を示す画像処理システム（画像形成システムとも呼ぶ）の一例を示すシステム構成図である。
【００３５】
図１において、１００は画像処理装置（画像形成装置とも呼ぶ）の一例であるカラー複写機で、スキャナ部１０２とプリンタ部１０１とが通信してカラー画像を形成可能であり、ネットワーク経由で住民票等を印刷できる機能を備え、コンビニエンスストアに設置可能に構成されている。
【００３６】
１０２はスキャナ部で、原稿画像を読み取ってプリンタ部１０１へデータを送信してカラーコピーを得ることができる。１０３はタッチパネルの液晶モニタによる操作部であり、カラー複写機１００に関する種々の操作を行える。１０４，１０５は一般的な鍵なし給紙カセットであり、カラー複写機１００でのコピーやプリントに用いる用紙をセットできる。１０６は本発明の特徴的な鍵付き給紙カセットで、鍵１０７を備え、特定の記録媒体を通常のユーザが補給等が行えないように、すなわち、所定の鍵により鍵付き給紙カセット１０６を引き出せないように施錠できるように構成されている。
【００３７】
なお、鍵付き給紙カセット（鍵付きタイプの給紙カセット）１０６には、鍵１０７の施錠状態を検知するための施錠状態検知センサ（機械的、電気的、光学的等のいずれのセンサ機構でもよい）を備え、そのセンサが検出する状態信号がＣＰＵ３０２（図３）に通知されることで、ＣＰＵ３０２が施錠状態を判定可能に構成されている。
【００３８】
また、ＲＡＭ３０３には、後述する図１０等に示すテーブルを記憶する領域が確保されており、各カセットの管理情報（名称、用紙サイズ、用紙有無、開閉状態、カセット属性（鍵付きか否か）、施錠状態）を記憶している。なお、該施錠状態は、前記施錠状態検知センサからの状態信号から施錠状態であるか、解錠状態であるかを示すフラグが設定されるものとする。
【００３９】
１０８はコインボックスであり、カラー複写機１００で使用するコピーやプリントサービスの料金をユーザが投入できるように構成されている。
【００４０】
１０９はＡＤＳＬモデム（モデム）であり、カラー複写機１００をインターネット１１０に接続する。１１１は住民票サーバであり、公共団体によりその情報源が管理され、インターネット１１０等の通信媒体に接続され、コンビニエンスストアに赴く住民が該カラー複写機１００の操作部１０３を操作して、住民票の証明請求操作指示に応じ住民票データを返信する。
【００４１】
このような構成により、コンビニエンスストアに置かれたカラー複写機１００を操作し、料金を払うことにより、住民票を印刷して取得できる公共サービスを提供するものとする。
【００４２】
図２は、図１に示した鍵付き給紙カセット１０６に収容される特定記録媒体とその印刷結果を示す図であり、例えば特定記録媒体に透かしがあらかじめ入っている場合に対応する。
【００４３】
図２において、２０１が住民票印刷に用いる用紙（特定記録媒体）であり、例えばＡ４サイズで、透かし２０２が所定位置にあらかじめ入っている特殊な用紙である。なお、この用紙２０１は、権限のある補給者のみが該鍵１０７を解錠して補給可能な用紙である。
【００４４】
２０３は住民票印刷結果で、サーバ１１１から受信した住民票データに基づいて透かし２０２が入った用紙２０１にプリンタ部１０１が印刷することにより得られる。なお、住民票情報の構成は、各公共団体により異なる場合がある。
【００４５】
このように住民票印刷結果２０３に示すように、例えば右肩に透かし２０２が入っていることで、当該印刷物の正当性、原本性を担保することができ、公証証書として機能し、通常のコピーと区別が可能となる。
【００４６】
この透かし入り用紙２０１は、正規の使用方法以外に使われないように、管理する必要があり、本実施形態では、透かし入り用紙２０１の束をカラー複写機１００の鍵付き給紙カセット１０６に入れ、例えば市役所の担当者のみが持っている鍵によってのみ補給できるように構成されているものとする。
【００４７】
図３は、図１に示したカラー複写機の構成を説明するブロック図である。
【００４８】
図３において、３０２はＣＰＵで、ＲＯＭ３０４に記憶される起動時のブートプログラム等を含む各種の制御プログラムをＲＡＭ３０３にロードして、ＣＰＵバス３０１に接続される各デバイスを総括的に制御する。なお、ＲＡＭ３０３は、スキャン画像データ、プリント画像データのフレームバッファやシステム動作のワークエリアとして使用される。
【００４９】
３０５はＨＤＤＩ／Ｆで、接続されるＨＤＤ３０６への書き込みまたは読み出しを行う。なお、ＨＤＤ３０６は、システムソフトウエアやスキャン画像データを保管する。３０７はスキャン部であり、ＣＣＤセンサやハロゲンランプから構成される。
【００５０】
３０８はプリンタ部であり、電子写真方式によるカラープリンタが用いられている。３０９は画像処理部であり、スキャン部３０７により読み取られる画像データに対して、ガンマ補正処理やキャリブレーション、色空間変換など、各種のＡＳＩＣによる画像処理を行う。
【００５１】
３１０はＬＡＮＩ／Ｆであり、１００ＢａｓｅＴ／１０ＢａｓｅＴのＥｔｈｅｒｎｅｔ（登録商標）によりＬＡＮに接続される。３１１はＩ／Ｏコントローラで、操作部３１２が接続され、操作部３１２が備えるＬＣＤへの表示処理（ＵＩ処理）と、タッチパネル、メカニカルボタンからの指示情報をＣＰＵ３０２に通知する。
【００５２】
この様に構成されたカラー複写機において、ＬＡＮＩ／Ｆ３１０を介してポストスクリプトまたはＰＤＦで記述されたジョブをデータ処理装置（図１に示したサーバ１１１を含む）から所定のプロトコルで受信し、ワークＲＡＭ３０３に保存する。そして、ＣＰＵ３０２によりポストスクリプトの記述を解釈しラスタ画像を生成してＲＡＭ３０３上に確保されるフレームバッファに保存する。そして、該フレームバッファ上に保存されたラスタ画像データを読み出して、プリンタ部３０８に出力することにより、給紙される各種の記録媒体上に現像された画像を出力する。そして、この画像出力を各プリントデータ毎に、すなわちＭＣＹＫの順で画像データを現像して記録媒体に重ねる処理を繰り返し、カラー画像を形成する。
【００５３】
通常のネットワークプリンタとしての動作は上記の通りであるが、本実施形態の公共サービス印刷処理、例えば住民票印刷では、ＨＤＤ３０６に記録された制御ソフト（制御プログラム）に沿って、インターネット１１０経由で住民票サーバ１１１から受信した、例えばＰＤＦファイル形式の住民票データをＲＡＭ３０３上でラスタライズして印刷する処理を行う。なお、その印刷処理の詳細は後述する。
【００５４】
図４は、図１に示したカラー複写機１００の鍵付き給紙カセット１０６の鍵１０７による施錠／解錠機構を説明する要部断面図であり、図１に示した鍵付き給紙カセット１０６の左手前部分を上部４０１側上から見た例である。なお、図４の（ａ）が鍵が解錠した状態に対応し、図４の（ｂ）は鍵が施錠された状態に対応する。
【００５５】
図４において、４０２が施錠ユニットであり、図１に示した鍵１０７の部分に相当する。４０４は前記施錠ユニット４０２用の鍵である。４０３はロックバーで、鍵の操作により伸び縮みする。４０５は前記カラー複写機１００の筐体側に固定された給紙カセットのガイド部分の板金である。この板金４０５には施錠ユニット４０２のロックバー４０３の位置に対応する穴４０６が設けてある。そして、板金４０５にはセンサ４０７が装備され、施錠されているかどうかを検知することが可能である。
【００５６】
鍵４０４は、施錠ユニット４０２の前面の鍵穴（図示せず）に挿入し回転させることにより、ロックバー４０３は板金４０５の穴４０６を通過し、吐出位置４０８の位置まで伸び出て停止する。このロックバーに４０３により、鍵付き給紙カセット４０１が板金４０５に固定され、引き出すことができないようになる。
【００５７】
鍵４０４を、施錠ユニット４０２の前面の鍵穴に挿入し逆方向に回転させることにより、ロックバー４０８は位置４０３まで戻り、開錠され、鍵付き給紙カセット４０１を引き出せるようになる。
【００５８】
図５は、図３に示した操作部３１２に表示されるプリントサービスメニュー画面の一例を示す図であり、本実施形態では、通常のコピーサービスと、プリントサービスとをタブの選択により自在に切り替えて設定操作が行えるように構成されている。なお、このタブによる画面の切り替え制御は、ＣＰＵ３０２が行うものとする。
【００５９】
図５において、５０１はプリントサービスタブである。５０２はコピータブである。これらのタブをユーザがタッチパネルで構成される操作部３１２に直接指で触ることにより、画面の表示内容が切り替わる構成となっている。図５の（ａjではプリントサービスのトップ画面５０３を表示している状態に対応する。
【００６０】
このトップ画面５０３では、このカラー複写機１００で供給されるプリントサービスのメニューのボタン５０４〜５０６が並んで表示されている。ここでは、本発明に特徴的な住民票印刷のボタン５０４のほか、市のイベントの情報を引き出すためのボタン５０５と、映画チケットのボタン５０６が表示されている。
【００６１】
図５の（ａ）に示すプリントサービス画面において、ユーザが住民票印刷ボタン５０４を押すと、画面表示が住民票印刷の画面５１１に切り替える制御が実行される。なお、画面表示が住民票印刷の画面５１１は、ＵＩデータとして、ハードディスク３０６に登録可能に構成され、該ボタン５０４が指示された際に、ハードディスク３０６から読み出されて操作部３１２の表示に反映されるように制御される。
【００６２】
そして、住民票印刷に関する説明と手順が表示され、カーソル５０７が今の操作フェーズを示す。
【００６３】
まず、ユーザは、表示されている手順に従って、住民コードをエリア５０８に対して入力する（なお、図示しないが、エリア５０８において、コード入力をガイドするカーソル５０７とは異なるカーソルを表示するように制御してもよい）。
【００６４】
住民一人一人に公共団体（例えば市役所）が住民各自に割振ったコード（例えば住民台帳コード）を数値入力する。この住民票印刷画面５１１の右下部にはテンキーといくつかのボタンが表示され、該コードを数字で入力することができる。そして、入力した内容を取り消すにはクリアボタンを押し、入力が終わったら決定ボタンを押す。
【００６５】
一方、一連の住民票印刷の操作をキャンセルする場合にはキャンセルボタンを押す。キャンセルボタンを押すとプリントサービスのトップ画面５０３の表示に切り替わる制御が実行される。
【００６６】
このようにして住民コードの入力が終わると、カーソル５０７が順次下方に移動し、次の入力処理であるパスワード入力に移る。ここでも、住民コードに対応してあらかじめ決めてあるパスワードを入力することで、本人であることの認証処理を行う。このときにもテンキー５１１を用いる。
【００６７】
そして、パスワードの入力が終わると、カーソル５０７が移動し、部数の入力になる。デフォルトでは「１」部になっているが、テンキー５１１を用いて、１〜２０部の間で設定することができるように構成されている。
【００６８】
こうして、部数の入力が終わると、カーソル５０７がさらに下方に移動し、図示しない課金処理で算出された手数料（この場合には、２００円と表示されている例である）料金をコインボックス１０８に投入することを促す。
【００６９】
そして、一部２００円で、指定した部数分の料金がコインボックス１０８に入れられたことを確認したら、その後、カーソル５０７がさらに下方に移動し、住民票の印刷が開始される。
【００７０】
なお、図示していないが、お年寄りの方には、操作指示がわかりにくい場合を考慮して、カーソル５０７が指示している内容を音声データで読み上げる図示しないスピーカより音声ガイドするようにしてもよい。
【００７１】
図６は、本発明に係る画像処理装置における第１のデータ処理手順の一例を示すフローチャートであり、例えばＣＰＵ３０２がＲＯＭ３０４またはハードディスク３０６から読み出される制御プログラムをＲＡＭ３０３にロードして実行される住民票印刷処理手順に対応する。なお、（６０１）〜（６１１）は各ステップを示す。
【００７２】
先ず、ステップ（６０１）で、操作部３１２に、例えば図５の（ｂ）に示される操作画面を表示した状態で、住民コード入力を住民が数値入力すると、ステップ（６０２）にて、手順に従い、パスワード入力を上記同様にテンキー５１１を操作して行う。
【００７３】
そして、ステップ（６０３）で、住民コードとパスワードを暗号化した上でインターネット１１０経由で住民票サーバ１１１へ送信する。
【００７４】
そして、住民票サーバ１１１では、住民コードとパスワードとを住民台帳データベースのデータとそれぞれ照合を行い、一致しているか否かを判定してその判定結果をインターネット１１０経由で要求元のカラー複写機１００に返信する。
【００７５】
そして、ステップ（６０４）で、住民票サーバ１１１から認証結果を受信して、ステップ（６０５）で、認証結果がＯＫかどうかを判断して、ＮＧであると判定した場合は、ステップ（６０６）で、操作部３１２のＬＣＤ上に認証エラーを表示し、ステップ（６０２）のパスワード入力処理に戻る。
【００７６】
なお、その戻り回数が、設定数を超えていたり、日時を換えて頻繁に起こるかどうかを履歴として管理して、当該住民による印刷要求が悪意によるものか善意によるものかをサーバ１１１へ通知可能としてもよい。
【００７７】
一方、ステップ（６０５）で、認証結果がＯＫであると判断した場合には、ステップ（６０７）で、必要な部数を入力する。なお、部数が制限値を越えている場合には、警告を表示するものとする。
【００７８】
次に、ステップ（６０８）で、コインボックス１０８に料金を投入する。このときには、コインボックス１０８が所定の料金まで入金されたかどうかを検知する制御をＣＰＵ３０２が実行する。そして、正当な入金が確認された場合には、カラー複写機１００は、インターネット１１０経由で住民コードと入金された金額と部数を送り、住民票データの取得を住民票サーバ１１１に要求する（６０９）。
【００７９】
カラー複写機１００から取得要求に対して、住民票サーバ１１１は入金金額と部数を確認の上、住民コードの住民票データをデータベースから検索して抽出した後、ＰＤＦフォーマットにて返信する。
【００８０】
これに対して、ステップ（６１０）で、カラー複写機１００は住民票サーバ１１１から送信された住民票データを受信する。そして、ステップ（６１１）で、受信したＰＤＦフォーマットの住民票データをＲＡＭ３０３上でラスタライズして、給紙先として鍵付き給紙カセット１０６を選択し、該鍵付き給紙カセット１０６から図２に示した用紙２０２を給紙して印刷する。
【００８１】
なお、本実施形態では住民票の印刷サービスを例に取ったが、その他の公文書や証明書、有価証券の印刷処理でも本発明を適用可能である。
【００８２】
また、本実施形態ではパスワードによる個人認証を記述したが、指紋照合や生体認証など、その他の認証方法であってもよいし、指紋照合や生体認証とパスワード入力とを併用する構成としても構わない。
【００８３】
さらに、上記実施形態では、透かし２０２が入った用紙２０１に住民票サーバ１１１から受信した住民票データを印刷する場合について説明したが、住民票サーバ１１１から住民票データが発行される際に、住民票サーバ１１１が生成するユニークな管理情報（氏名と管理番号等に所定の乱数を組み合わせて生成されるユニークな情報）を合わせて印刷するように構成してもよい。ただし、その番号は、住民票サーバ１１１で個人情報として住民票データの履歴に付加して、後に、発行証明が必要な場合に備えて時限管理してもよい。
【００８４】
図７は、図３に示した操作部３１２に表示されるコピーメニュー画面の一例を示す図であり、本実施形態では、通常のコピーサービスと、プリントサービスとをタブの選択により自在に切り替えて設定操作が行えるように構成されている。なお、このタブによる画面の切り替え制御は、ＣＰＵ３０２が行うものとする。また、本画面は、図５に示したコピータブ５０２をユーザが触ることによって、図７に示すコピー設定画面に切り替え表示制御される。
【００８５】
図７において、７０１はコピータブである。７０２はプリントサービスタブである。これらのタブを触ることにより、タブ位置より下方域の表示内容が変わる。ここではコピーの標準画面７０３を表示している。
【００８６】
７０４はステータスメッセージで、カラー複写機１００のステータス「コピーできます。」が表示され、現在コピーできる状態であることを伝えている。７０５は両面設定ボタンで、このボタン７０５を押すことにより、いくつかの選択肢から両面モードを選択できる。ここでは片面モードが選択されている状態を示している。
【００８７】
７０６は拡張設定ボタンで、このボタン７０６を押すことにより、サブメニューが表示され、色の調節等多種多様な設定を行うことが可能である。７０７はトレイ選択ボタンであり、選択されたトレイと用紙サイズ、用紙残量が表示される。
【００８８】
７０８は倍率の表示部で、拡大ボタン７０９、縮小ボタン７１０、ズームボタン７１１を押すことにより、表示内容が切り替わる。７１２はコピーボタンで、該ボタン７１２を押すことによりコピー処理を開始できる。７１３はキャンセルボタンで、コピー動作を停止できる。
【００８９】
７１４はカラーモードの設定で、押すことによりカラーと白黒のモードを切り替えることができる。７１５は部数表示部で、テンキー７１６により部数を１〜９９９部の範囲で設定できる。
【００９０】
図８は、図３に示した操作部３１２に表示されるコピーメニュー画面におけるの要部設定画面の一例を示す図であり、図７において、トレイ選択ボタン７０７を押した場合に表示される。
【００９１】
図８に示すように、図７に示したトレイ選択ボタン７０７を押すと、カラー複写機１００で利用可能な給紙段８０１〜８０３とそれぞれの用紙サイズ、用紙残量が表示されるようにＣＰＵ３０２により制御される。
【００９２】
そして、その表示される給紙段のうちの１つを押すことにより、所望とする給紙段を選択できる。ここでは、トレイ１のＡ４（給紙段８０１）、トレイ２のＡ３（給紙段８０２）、トレイ３のＡ３（給紙段８０３）が表示されている。トレイ３（給紙段８０３）については、鍵付き給紙段であり、施錠されている状態なので、鍵アイコン８０４が表示され、トレイと用紙サイズの表示がディム化され、選択できないことを示している。
【００９３】
このように本実施形態では、鍵付き給紙カセットで、かつ施錠状態ではその給紙カセットをコピーでは選択できないようにしている。
【００９４】
これにより鍵付き給紙カセットに入れた特定用途の用紙を不用意に使ってしまうことを防いでいる。
【００９５】
また、本実施形態では、鍵付き給紙カセットが施錠状態か開錠状態かのいずれの状態であるかがアイコンにより視覚的に判別できるため、開錠状態では鍵なし用紙カセットと同等に扱う。それにより、カラー複写機１００の使用用途に応じて、給紙段を制限したり、通常の給紙段として使い分けることが可能になる。
【００９６】
なお、本実施形態では、施錠状態の鍵付き給紙カセットをディム化表示している例を示すが、全く表示しない実装にしてももちろん構わない。
【００９７】
〔第２実施形態〕
上記第１実施形態では、給紙カセット１０６に収容された透かし入りの用紙２０１に住民票サーバ１１１から取得される住民票データを印刷する場合について説明したが、給紙カセット１０６からの給紙に障害が発生した場合には、通常の操作者がジャム解除処理等を行えないため、その障害を特定の管理者に通知して、障害復旧を行う必要がある。そこで、その障害の通知と解除処理例について説明する。
【００９８】
なお、図１に示したカラー複写機１００には、上記の構成に加えて、メールクライアント機能を備えている。従って、設定に応じて管理情報等を所定のメールアドレス（例えばハードディスク３０６に登録された管理者宛（ＰＣや携帯電話や携帯端末を含む）へ送ることができるように構成されている。
【００９９】
図９は、本発明に係る画像処理装置における第２のデータ処理手順の一例を示すフローチャートであり、例えばＣＰＵ３０２がＲＯＭ３０４またはハードディスク３０６から読み出される制御プログラムをＲＡＭ３０３にロードして実行される住民票印刷処理時のジャム処理手順に対応する。なお、（９０１）〜（９０６）は各ステップを示す。
【０１００】
カラー複写機１００にて、ジャムが発生したことをＣＰＵ３０２が検知すると、ステップ（９０１）で、プリンタ部３０８の動作を強制停止する。そして、ステップ（９０２）で、施錠している鍵付き給紙カセット１０６から給紙した用紙がジャムしているかどうかをチェックして、鍵付き給紙カセット１０６がジャムしていないと判断した場合は、ステップ（９０４）へ進む。
【０１０１】
一方、ステップ（９０２）で、鍵付き給紙カセット１０６がジャムしていると判定した場合は、ステップ（９０３）で、上述したＥ−ｍａｉｌ通知機能を用いて管理者へメールにて通知を行い、ステップ（９０４）へ進む。
【０１０２】
そして、ステップ（９０４）にて、ジャムの箇所やジャム用紙を取り除くことを促す処理をカラー複写機１００の操作部１０３に表示して、ステップ（９０５）で、ジャムした用紙が取り除かれるまで待機する。
【０１０３】
そして、ジャムした用紙が取り除かれたことを確認したら、ステップ（９０６）にて所定のリカバリ処理を行い、本処理を終了する。
【０１０４】
その後、ジャムした部分から設定されていたコピーやプリントを再開処理する。
【０１０５】
なお、本実施形態では、操作部の部分で説明したように、各給紙段の用紙残量を検知できる構成となっているので、ＣＰＵ３０２が施錠状態の鍵付き給紙カセットの用紙の残量が残り少なくなったことを検知した場合には、上記同様に管理者にＥ−ｍａｉｌ等で用紙補給を依頼する通知を行えるようにしてもよい。
【０１０６】
また、鍵付き給紙カセットが施錠状態から開錠状態へ変化した時点をＣＰＵ３０２が検知し、上記同様に管理者へ警告のＥ−ｍａｉｌ通知をしても良い。
【０１０７】
また、本実施形態では電子メールにより管理者へ各種の情報を通知する例を説明したが、電話やポケベル等、他の手段により通知してももちろん構わない。
【０１０８】
これにより、透かし等の特定の用紙による公文書や証明書等の印刷サービスをコンビニエンスストアなどの公共の場所においても提供できるようになる。
【０１０９】
〔第３実施形態〕
なお、上記実施形態では、鍵付き給紙カセット１０６に収容された透かし入りの用紙２０１に住民票サーバ１１１から取得される住民票データを印刷する場合について説明したが、住民票サーバ１１１より取得される住民票データを印刷する際に、住民票部分とそれ以外とを分離できるように用紙２０１にあらかじめミシン目を入れたものを採用することで、住民票データを印刷する領域とその他の領域とに分けて、住民票以外の情報、例えば領収書を同時に印刷できるように制御してもよい。
【０１１０】
また、上記実施形態では、図６に示したように、操作部３１２より住民コードが入力されると、住民コードとパスワードとが住民票サーバ１１１に送信される場合について説明したが、鍵付きカセットの鍵の施錠状態を判定して、施錠されていない場合には、住民コードとパスワードが送信されないように制御してもよい。
【０１１１】
さらに、図６に示すステップ（６０１）の前に、同様に鍵付きカセットの鍵の施錠状態を判定して、ボタン５０４が選択できないように制御してもよい。
【０１１２】
また、住民票データ処理中にジャムが発生した場合に、そのジョブを中断するか中止するかをあらかじめ設定して、住民票データ処理の実行を制御してもよい。
【０１１３】
又、本実施形態の画像形成装置としてのカラー複写機１００は、上述したように、画像が形成されるシートを収納するシート収納部として、施錠可能な鍵付き給紙カセットと施錠不可能な鍵無し給紙カセットを含む複数のシート収納部を具備している。そして、該画像形成装置１００にて鍵付き給紙カセットの記録紙を用いた印刷処理を行う場合において、該鍵付き給紙カセットが、鍵がかけられている状態か、鍵がかけられていない状態か、その施錠状態に応じて、動作シーケンスを選択的に切り替えるよう該装置１００のＣＰＵ３０２により制御している。
【０１１４】
この動作の制御例を、図１０〜図１３を用いて、より具体的に説明する。
【０１１５】
図１０は、本画像形成装置１００が具備する適当なメモリユニット（例えばＲＡＭ３０３或いはＨＤＤ３０６等）に保持させている管理テーブルデータ１００１である。該テーブル１００１には、ＣＰＵ３０２の制御のもと、本画像形成装置１００が具備する複数のシート収納部の各収納部毎の各種情報を記憶させる。ＣＰＵ３０２は、該テーブル１００１内のデータに基づいて各種制御を実行可能にする。
【０１１６】
上記テーブル１００１に保持しているシート収納部の管理情報としては、例えば、画像形成装置１００が具備する複数の給紙カセットの名称を特定する為の名称情報や、現在、給紙カセットにシートが存在するか否かをＣＰＵ３０２により確認可能にするためのシートの有無情報、及び、その残量をＣＰＵ３０２により確認可能にする為のシート残量情報を含む。
【０１１７】
更に、管理情報には、各給紙カセットに関して、ユーザによりオープンされている状態か否か、その開閉状態をＣＰＵ３０２により特定可能にするための開閉状態を示す情報が含まれる。又、各給紙部のうちのどの給紙カセットが鍵付きカセットであり、どの給紙カセットが鍵無し給紙カセットかをＣＰＵ３０２により特定可能にするための鍵付きカセット特定情報も管理情報として保持させる。更に、鍵付き給紙カセットが存在する場合において、その鍵付き給紙カセットが開錠されている状態なのか、施錠されている状態なのかを、ＣＰＵ３０２により特定可能にするための施錠状態を示す鍵付き給紙カセットの施錠状態情報も管理情報として記憶させる。
【０１１８】
このように、本実施形態は、複数種類のシート収納部に関する情報を、本画像形成装置が具備する各シート収納部毎に夫々区別可能に、記憶管理しており、本画像形成装置にて印刷動作を実行させる上で該情報をＣＰＵ３０２により利用可能に構成している。
【０１１９】
尚、このテーブルデータ１００１の情報は、操作部３１２からのユーザからの指示に応答して、操作部３１２の表示部に、ユーザが各シート収納部毎にそれぞれ識別可能な状態で表示させるようＣＰＵ３０２により操作部３１２を制御可能に構成している。
【０１２０】
又、該テーブルデータ１００１にセットさせる上記給紙カセットの各種管理情報のうちの、名称情報や用紙サイズの情報や用紙タイプの情報は、例えば、本画像形成装置１００の操作者により予め装置１００の操作部３１２を介して登録された情報を用いる。但し、用紙サイズの情報を、例えば、各給紙カセット毎に用紙サイズを検知する為の用紙サイズ検知センサを配設しておき、各用紙サイズ検知センサからの用紙サイズ情報を用いても良い。
【０１２１】
基本的には、用紙の有無情報や用紙の残量情報は、例えば、各給紙カセット毎に用紙の有無や用紙の残量を検知可能な検知センサを配設しておき、該検知センサから出力情報に基づいて用紙の有無情報や用紙の残量情報を該テーブル１００１にセットする。給紙カセットの開閉状態を特定する為の情報は、例えば、給紙カセットの着脱を検知するセンサを各給紙カセット毎に配備しておき、該センサからの出力情報を用いる。
【０１２２】
給紙カセットが、鍵が付いているタイプの鍵付き給紙カセットであるのか、鍵が付いていないタイプの鍵無し給紙カセット（非鍵付き給紙カセット）であるのかを、ＣＰＵ３０２により特定する為の鍵付き給紙カセット特定情報は、例えば、本画像形成装置としてのカラー複写機１００の操作者により予めとしてのカラー複写機１００の操作部３１２を介して登録された情報を用いる。
【０１２３】
尚、給紙カセットのタイプを特定する為の情報を記憶可能なメモリを各給紙カセットに夫々配備しておき、カラー複写機１００に給紙カセットがセットされたら、ＣＰＵ３０２が、該給紙カセットのメモリの情報を参照することで、該給紙カセットが非鍵付き給紙カセットであるか鍵付き給紙カセットであるのか、そのタイプを特定可能に構成しても良い。
【０１２４】
鍵付き給紙カセットをカラー複写機１００が具備している場合に、その鍵付きカセットが、現在、鍵がかけられた状態（施錠状態）であるのか、鍵がかけられていない状態（開錠状態）であるのかを、各鍵付き給紙カセット毎に、ＣＰＵ３０２により特定可能にする為の鍵付き給紙カセットの施錠状態情報は、次のような構成により管理情報としてＣＰＵ３０２により獲得可能にする。例えば、鍵付き給紙カセットの鍵がロックされている場合に施錠状態である事を示す情報を出力し、一方、鍵付き給紙カセットの鍵がロックされていない場合には開錠状態である事を示す情報を出力可能な、施錠状態検知センサを、各鍵付き給紙カセットに配備しておく。そして、該施錠状態検知センサからの情報に基づいて、ＣＰＵ３０２は鍵付き給紙カセットの施錠状態を特定し、該情報をテーブル１００１に給紙部の管理情報としてセットさせるよう制御する。
【０１２５】
尚、鍵付き給紙カセットの施錠状態を特定する為の情報を、本画像形成装置１００の操作者により、操作部３１２を介して入力させ、これにより、ＣＰＵ３０２が鍵付き給紙カセットの施錠状態を特定可能にする構成でも良い。
【０１２６】
このような構成のもとで、ＣＰＵ３０２は、本画像形成装置としてのカラー複写機１００が具備する鍵付きシート収納部の鍵の施錠状態（施錠状態であるのか開錠状態であるのか）に応じて、本画像形成装置１００の動作を制御している。
【０１２７】
但し、本実施形態は、本画像形成装置１００が具備する鍵付きタイプのシート収納部が施錠されていない状態（即ち、開錠状態）であるからといって、本画像形成装置１００の利用すること自体（画像形成装置１００を動作させること自体）を、一律的に、全て禁止するわけではない。
【０１２８】
即ち、本実施形態は、従来技術のような問題を未然の防止でき、且つ、画像形成装置１００を様々な環境にて最適に運用活用できる効果を奏することが出来るようにするために次のような仕組みで構成されている。
【０１２９】
例えば、本実施形態の画像形成装置は、鍵付きタイプのシート収納部が、施錠状態であっても、開錠状態であっても、何れかの状態であっても、本画像形成装置の利用自体（動作すること自体）は、許可するよう制御している。
【０１３０】
そして、このような構成を前提として、本実施形態では、鍵付きシート収納部が施錠された状態で本画像形成装置１００を運用動作させている場合（ケース１）と、鍵付きシート収納部が開錠状態のままで本画像形成装置１００を運用動作させている場合（ケース２）とで、本画像形成装置１００の動作シーケンスを異ならせるようＣＰＵ３０２により制御している。この制御例を、図１０の状況と図１１の状況とで、対比することで、説明する。
【０１３１】
図１０で示される動作状況は、本画像形成装置１００には、鍵付きシート収納部として給紙カセット４を具備しており、尚且つ、現在、該鍵付き給紙カセット４が施錠された状態のままで、本画像形成装置１００を運用動作させている場合の例に相当する。
【０１３２】
一方、図１１で示される動作状況は、本画像形成装置１００には、鍵付きシート収納部として給紙カセット４を具備しており、尚且つ、現在、該鍵付き給紙カセット４が開錠状態（鍵がかけられていない状態）のままで、本画像形成装置１００を運用動作させている場合の例に相当する。
【０１３３】
図１０の状況の場合に、例えば、ＣＰＵ３０２は、次のような制御を行う。ＣＰＵ３０２は、カセット４が鍵付き給紙カセットである事、及び、該鍵付き給紙カセットは施錠状態である事を、図１０の管理テーブル１００１内のデータを参照することにより、確認する。この場合に、ＣＰＵ３０２は、鍵付き給紙カセットが施錠されている場合において本画像形成装置１００にて実行を許可する機能（画像形成モードとも呼ぶ）の候補を特定し、その候補の中からユーザにより所望の機能を選択可能にする為の機能設定画面を、操作部３１２に表示させる。例えば、図５（ａ）の操作画面例がこれに該当する。
【０１３４】
図５（ａ）の操作画面は、本画像形成装置１００の複数の給紙カセットの中に鍵付き給紙カセットが含まれており、且つ、該鍵付き給紙カセットの鍵がかけられている状態（施錠状態）である場合に、操作部３１２に表示させる画面であり、この画面を介して住民票印刷モードをユーザにより選択可能にしている。住民票印刷モードは、該カラー複写機装置１００のユーザが所望の住民票データを本画像形成装置１００に入力して、該住民票データに基づいた画像を、鍵付き給紙カセットから給送させる特定種類のシート上にプリント可能にする画像形成モードである（詳細は先の実施例参照）。このように、ＣＰＵ３０２は、画像形成装置１００の現在の状態に関する情報を確認して結果として、該カラー複写機装置１００は鍵付き給紙カセットを具備している事、及び、その鍵付き給紙カセットが施錠状態である事を確認した事を条件に、該住民票印刷モードを選択可能にする操作画面を操作部３１２に表示させることを許可し、該操作画面を介して当該住民票印刷モードを選択することで、該住民票印刷モードをカラー複写機装置１００にて実行する事を許可するよう制御する。
【０１３５】
一方、図１１の状況の場合に、例えば、ＣＰＵ３０２は、次のような制御を行う。ＣＰＵ３０２は、カセット４が鍵付き給紙カセットである事、及び、該鍵付き給紙カセットは開錠状態である事を、図１１の管理テーブル１００１内のデータを参照することにより、確認する。
【０１３６】
この場合に、ＣＰＵ３０２は、鍵付き給紙カセットが施錠されている場合においてのみ利用を許可する機能（画像形成モードとも呼ぶ）に該当する例えば上記住民票印刷モードの選択及び実行は禁止するよう制御する（ユーザにより利用可能な機能を制限する）。
【０１３７】
そして、鍵付きシート収納部が開錠状態の場合において利用を許可する機能の候補を特定し、その候補の中からユーザにより所望の機能を選択可能にする為の機能設定画面を、操作部３１２に表示させる。例えば、図１１の状況の場合、ＣＰＵ３０２は、上記住民票印刷モードの選択及び実行を禁止し、且つ、該住民表示印刷モードの設定を実行可能にする例えば図５の操作画面を操作部３１２に表示する事自体も禁止するよう制御するが、本画像形成装置１００が具備するスキャナ３０７により原稿の読取動作及び該読取った原稿の画像データをＨＤＤ３０６を介してプリント部３０８によりプリントさせる動作モード（通常コピーモードと呼ぶ）の実行は許可するよう制御し、該通常コピーモードを実行させる際の設定画面を操作部３１２に表示させ、該設定画面を介してユーザにより該モードの選択及び該モードの実行を許可するよう制御する。
【０１３８】
このように、本実施形態では、鍵付きシート収納部が施錠された状態にて本画像形成形成装置１００にて利用を許可する動作モードと、鍵付きシート収納部が開錠された状態にて本画像形成形成装置１００にて利用を許可する動作モードと、を区別するよう制御し、操作部３１２に表示させる画面も、鍵付きシート収納部が施錠されている場合と、施錠されていない場合とで、区別して表示させるようＣＰＵ３０２により制御する。
【０１３９】
尚、鍵付きシート収納部が施錠されている場合には、鍵付きシート収納部が施錠されている場合においてのみ利用を許可する動作モード（この例では、住民票印刷モード）と、鍵付きシート収納部が開錠されている場合において利用を許可する動作モード（この例では、通常コピーモード）の両方に該当する動作モードの候補の中からユーザの所望とする動作モードを選択可能に制御する。
【０１４０】
一方、鍵付きシート収納部が開錠されている場合には、鍵付きシート収納部が施錠されている場合においてのみ利用を許可する動作モード（この例では、住民票印刷モード）はユーザにより選択を不可とし、鍵付きシート収納部が開錠されている場合において利用を許可する動作モード（この例では、通常コピーモード）に該当する動作モードの候補の中からユーザの所望とする動作モードを選択可能に制御する。
【０１４１】
又、本実施形態は、上述したように、たとえ鍵付きシート収納部の鍵が施錠されていない状態（図１１の状態）であっても、画像形成装置１００を動作させることを許可している。そして、更に、本実施形態では、例えば、鍵付きシート収納部が開錠状態の場合においても、当該解錠状態の鍵付きシート収納部（この例では、給紙カセット４）をユーザにより選択することを許可し、且つ、該開錠状態の鍵付きシート収納部に収納されているシートを使って所望の画像データを形成させる一連の記録動作を実行する事を許可している。
【０１４２】
勿論、その一方で、鍵付きシート収納部の鍵が施錠されている状態（図１０の状態）下において該施錠状態の鍵付きシート収納部（この例では、給紙カセット４）をユーザにより選択可能にし、且つ、該施錠状態の鍵付きシート収納部に収納されているシートを使って所望の画像データを形成させる一連の記録動作を実行する事も許可している。
【０１４３】
但し、本実施形態では、このような構成を前提としているものの、ＣＰＵ３０２の制御により、実際に印刷動作を画像形成装置１００により開始させた以降についても、その動作シーケンスを、鍵付きシート収納部が施錠された状態で画像形成装置１００を動作させているケースと、鍵付きシート収納部が開錠された状態のままで画像形成装置１００を動作させているケースとで、異ならせるよう画像形成装置１００を制御している。図１０の場合と図１１の場合の例を用いて引き続き説明する。
【０１４４】
例えば、図１０の状態、即ち、鍵付きシート収納部に相当する給紙カセット４がロックされている状態（施錠状態）下において、操作部３１２を介して住民票印刷モードがユーザにより選択され、且つ、該操作部３１２を介してユーザからの印刷実行指示が入力された場合に、これをうけＣＰＵ３０２の制御により、該住民表示印刷モードにおいて該給紙カセット４を用いた画像形成動作を画像形成装置１００により開始させて、現在、給紙カセット４を用いた一連の記録動作を実行中であるとする。
【０１４５】
そして、この一連の記録動作を実行している最中に該給紙カセット４のシートが無くなった（給紙カセット４がシート有り状態からシート無し状態に変化した）事を、該給紙カセット４のシート有無検知センサからの情報により、ＣＰＵ３０２が確認したとする。ここで、現在、該画像形成装置１００には、給紙カセット４以外の給紙カセットの中で、給紙カセット４に収納されていたシートと同じ用紙サイズで且つ用紙タイプのシートが収納されている給紙カセット２や給紙カセット３が存在しているとする（図１０参照）。
【０１４６】
このような状況、即ち、印刷動作により利用中のシート収納部（この例では給紙カセット４）にて紙無しが発生した（印刷中断要因が発生した）事により、該シート収納部（この例では給紙カセット４）を用いた印刷動作が実行不可能な状態になった場合において、該シート収納部（この例では給紙カセット４）に収納されていたシートのサイズやタイプに合致するシートがセットされているシート収納部（この例では、給紙カセット２や給紙カセット３が該当）が本画像形成装置１００にて存在する場合に、利用すべきシート収納部をカセット４から給紙カセット２或いは給紙カセット３に自動的に切り替えて、該選択した給紙カセット２或いは給紙カセット３からシートを給送して該シートに対して画像形成を実行することで、上記一連の記録動作を、中断する事無く、そのまま自動的に継続させるよう画像形成装置１００を制御することを可能としている（印刷動作自動継続機能）。
【０１４７】
しかしながら、ＣＰＵ３０２は、紙無しが発生した給紙カセットが、上記カセット４のように鍵付きタイプのシート収納部であり、尚且つ、該鍵付きシート収納部が施錠されている状態（ロック状態）であると判断した場合（図１０の状態）には、印刷動作中にて利用中の鍵付きシート収納部内のシートが無くなったことに事に応答して、少なくとも同一サイズ（好ましくは、同一サイズで且つ同一タイプ）のシートが収納されているシート収納部を自動的に選択して印刷動作を中断する事無く自動的に継続させるような一連の動作を実行することを禁止するように、ＣＰＵ３０２により画像形成装置１００を制御する（印刷動作自動継続機能の実行を禁止する）。
【０１４８】
換言すると、ＣＰＵ３０２は、印刷動作中にて紙無しエラーが発生したシート収納部が鍵付きタイプのシート収納部であり、なお且つ、該シート収納部の施錠状態が「施錠」であると判断した場合には、たとえ、該紙無しエラーが発生した給紙カセット以外の給紙カセットに、該紙無しエラーの給紙カセットに収納されていたシートと同じサイズやタイプのシートを収納している給紙カセットが存在していたとしても、該給紙カセットの選択を禁止して、印刷動作を、継続させることなく、その時点で、中断させるよう制御する。
【０１４９】
一方、例えば、図１１の状態、即ち、鍵付きシート収納部に相当する給紙カセット４の鍵がかけられていない状態（開錠状態）下において、操作部３１２を介して通常コピーモードがユーザにより選択され、且つ、該操作部３１２を介してユーザからの印刷実行指示が入力された場合に、これをうけＣＰＵ３０２が、該通常コピーモードにおいて該給紙カセット４を用いた画像形成動作を画像形成装置１００により開始させ、現在、給紙カセット４を用いた一連の記録動作を実行中であるとする。
【０１５０】
そして、この一連の記録動作を実行している最中に該給紙カセット４のシートが無くなった（給紙カセット４がシート有り状態からシート無し状態に変化した）事を、該給紙カセット４のシート有無検知センサからの情報により、ＣＰＵ３０２が確認したとする。ここで、現在、該画像形成装置１００には、給紙カセット４以外の給紙カセットの中で、給紙カセット４に収納されていたシートと同じ用紙サイズで且つ用紙タイプのシートが収納されている給紙カセット２や給紙カセット３が存在しているとする（図１１参照）。
【０１５１】
このような状況、即ち、紙無しが発生した給紙カセットが給紙カセット４のように鍵付きタイプのシート収納部であり、尚且つ、該鍵付きシート収納部が開錠されている状態（アンロック状態）であると判断した場合（図１１の状態）には、ＣＰＵ３０２は、当該一連の印刷動作中にて利用中の鍵付きシート収納部内のシートが無くなったことに事に応答して、該エラーが発生した鍵付きシート収納部にセットされていたシートと少なくとも同一サイズ（好ましくは、同一サイズで且つ同一タイプ）のシートが収納されているシート収納部が存在するか否かを、図１１のテーブル内のデータを基に検索する。
【０１５２】
そして、検索した結果、該紙無しエラーを発生した鍵付きシート収納部から給送していたシートと少なくとも用紙サイズ（好ましくは、用紙サイズと用紙タイプ）が合致するシートを収納しているシート収納部が他に存在すると判断した場合には、そのシート収納部が鍵付きシート収納部であろうが鍵無しシート収納部であろうが関係なく、自動的に選択して、当該一連の印刷動作を、中断する事無く、そのまま自動的に継続させるように、ＣＰＵ３０２により画像形成装置１００を制御する（印刷動作自動的継続機能の実行を許可する）。
【０１５３】
このように、ＣＰＵ３０２は、印刷動作中にて紙無しエラーが発生したシート収納部が鍵付きタイプのシート収納部であり、なお且つ、該シート収納部の施錠状態が「開錠」であると判断した場合においては、紙無しエラーが発生した鍵付きシート収納部（この例では給紙カセット４）以外のシート収納部にて、該紙無しエラーのシート収納部（この例では給紙カセット４）に収納されていたシートと同じサイズやタイプのシートを収納している給紙カセット（この例では、給紙カセット２や給紙カセット３）が存在することを確認すれば、該シート収納部がたとえ鍵無しタイプのシート収納部（この例では、給紙カセット２や給紙カセット３）であったとしても、該シート収納部（この例では、給紙カセット２や給紙カセット３）を自動的に選択することを許可して、利用すべきシート収納部を切り替えて、該一連の記録動作を、中断させることなく、自動的に、継続させるよう制御する。
【０１５４】
以上の図１０と図１１の２つの制御例のように、鍵付きタイプのシート収納部を具備する画像形成装置において、鍵付きシート収納部が施錠されている場合（ロック状態）でも、施錠されていない場合（アンロック状態）でも、該鍵付きシート収納部の利用自体は許可するようＣＰＵ３０２により制御する。但し、該鍵付シート収納部の施錠状態が「施錠」の場合における該鍵付きシート収納部のシートを用いた一連の印刷動作シーケンス（第１シーケンスとも呼ぶ）と同じ動作シーケンスを、該鍵付シート収納部の施錠状態が「開錠」の場合において本画像形成装置１００により実行させることは禁止する。
【０１５５】
該鍵付シート収納部の施錠状態が「開錠」の場合において該鍵付きシート収納部のシートを用いた一連の記録動作を実行する場合には、該第１シーケンスとは異なる一連の動作印刷動作シーケンス（図１１の例を用いて説明した動作シーケンスを参照。このシーケンスを第２シーケンスとも呼ぶ）を実行させるよう制御する。
【０１５６】
このように、鍵付シート収納部の施錠状態が「施錠」の場合における該鍵付きシート収納部のシートを用いた一連の印刷動作シーケンス（図１０の例を用いて説明した第１シーケンスに相当）と、該鍵付シート収納部の施錠状態が「開錠」の場合における該鍵付きシート収納部のシートを用いた一連の印刷動作シーケンス（図１１の例を用いて説明した第２シーケンスに相当）の、異なる二つのシーケンスを、それぞれ、鍵付きシート収納部が施錠されている場合と開錠されている場合とで区別して、実行するようＣＰＵ３０２により制御する。
【０１５７】
そして、更に本実施形態は以下のような選択制御も実現可能に構成している。
【０１５８】
例えば、鍵付きシート収納部（図１０の例では、給紙カセット４）が「施錠状態」のままで画像形成装置１００が利用されている場合において（図１０の状態）、鍵無しシート収納部に相当する図１０の給紙カセット１〜３のいずれかの給紙カセットを用いた一連の印刷動作を実行している最中に（例えば、給紙カセット２を用いた印刷動作を実行している最中に）、該シート収納部にて紙無しエラーが発生したとする。
【０１５９】
この場合において、紙無しエラーが発生した該鍵無しシート収納部以外のシート収納部の中で、該紙無しエラーが発生した鍵無しシート収納部にセットされていたシートと少なくとも同一サイズ（好ましくは、同一サイズで且つ同一タイプ）のシートがセットされているシート収納部が存在するとする。
【０１６０】
図１０では、例えば、鍵無しシート収納部に該当する給紙カセット３と、鍵付きシート収納部に該当する給紙カセット４に、上記紙無しエラーが発生した給紙カセット２にセットされていたシートと同一サイズで且つ同一タイプのシートが収納されている。
【０１６１】
ここで、ＣＰＵ３０２は、該一連の印刷動作を中断させることが無いように、印刷動作中にて紙無しエラーが発生したシート収納部以外のシート収納部として、給紙カセット３を自動的に選択して、該給紙カセット３のシートを用いて印刷動作を自動的に継続させるよう動作させることは許可する。しかし、当該状況（図１０の状態）は、鍵付きシート収納部の施錠状態が「施錠」であると確認した上で本画像形成装置１００を動作させている状況なので、ＣＰＵ３０２は、印刷動作中にて紙無しエラーが発生したシート収納部以外のシート収納部として、鍵付きシート収納部に該当する給紙カセット４を選択することは禁止して、該給紙カセット４のシートを用いて印刷動作を継続させることは禁止するよう制御する。
【０１６２】
このように、鍵無しシート収納部のシートを用いて一連の印刷動作を実行している最中に該シート収納部にて紙無しエラーが発生した場合において（例えば図１０の例にて、給紙カセット２のシートを利用して印刷動作を実行している最中に給紙カセット２が紙無しエラーを発生した場合において）、該エラーが発生したシート収納部にセットされていたシートと少なくとも同一サイズのシートが収納されている他のシート収納部が存在する場合に（図１０では、給紙カセット３と給紙カセット４が該当する）、そのシート収納部が鍵無しシート収納部であるならば、自動的に、該シート収納部を選択して、該一連の印刷動作を中断させることなく、引き続き、継続して該一連の印刷動作を実行することは許可する（給紙カセット３を用いて引き続き印刷動作を継続させることは許可する）。
【０１６３】
一方、該シート収納部が鍵付きシート収納部であるならば、たとえエラーが発生したシートと同一サイズで且つ同一タイプのシートを収納しているシート収納部であっても、該シート収納部を選択することは禁止して、該鍵付きシート収納部のシートを用いて印刷動作を継続する事は禁止するよう制御する（例えば、給紙カセット４を用いて印刷動作を継続することは禁止する）。
【０１６４】
そして、ＣＰＵ３０２は、このような一連の動作シーケンス（第３シーケンスと称す）を、鍵付きシート収納部が施錠されている状況の場合において（図１０に示す状況の場合に）、実行するよう画像形成装置１００を制御する。
【０１６５】
一方、鍵付きシート収納部（図１０の例では、給紙カセット４）が「開錠状態」のままで画像形成装置１００が利用されている場合において（図１１の状態）、鍵無しシート収納部に相当する図１０の給紙カセット１〜３のいずれかの給紙カセットを用いた一連の印刷動作を実行している最中に（例えば、給紙カセット２を用いた印刷動作を実行している最中に）、該シート収納部にて紙無しエラーが発生したとする。この場合において、紙無しエラーが発生した該鍵無しシート収納部以外のシート収納部の中で、該紙無しエラーが発生した鍵無しシート収納部にセットされていたシートと少なくとも同一サイズ（好ましくは、同一サイズで且つ同一タイプ）のシートがセットされているシート収納部が存在するとする。
【０１６６】
図１１では、例えば、鍵無しシート収納部に該当する給紙カセット３と、鍵付きシート収納部に該当する給紙カセット４に、上記紙無しエラーが発生した給紙カセット２にセットされていたシートと同一サイズで且つ同一タイプのシートが収納されている。
【０１６７】
ここで、ＣＰＵ３０２は、該一連の印刷動作を中断させることが無いように、印刷動作中にて紙無しエラーが発生したシート収納部以外のシート収納部として、給紙カセット３を自動的に選択して、該給紙カセット３のシートを用いて印刷動作を自動的に継続させるよう動作させることを許可する。尚且つ、当該状況（図１１の状態）は、鍵付きシート収納部の施錠状態が「開錠」であると確認した上で本画像形成装置１００を動作させている状況なので、ＣＰＵ３０２は、印刷動作中にて紙無しエラーが発生したシート収納部以外のシート収納部として、鍵付きシート収納部に該当する給紙カセット４を選択することも許可して、該給紙カセット４のシートを用いて印刷動作を継続させることも許可するよう制御する。
【０１６８】
このように、鍵無しシート収納部のシートを用いて一連の印刷動作を実行している最中に該シート収納部にて紙無しエラーが発生した場合において（例えば図１１の例にて、給紙カセット２のシートを利用して印刷動作を実行している最中にカセット２が紙無しエラーを発生した場合において）、該エラーが発生したシート収納部にセットされていたシートと少なくとも同一サイズのシートが収納されている他のシート収納部が存在する場合に（図１１では、給紙カセット３と給紙カセット４が該当する）、そのシート収納部が鍵無しシート収納部である場合に、自動的に、該シート収納部を選択して、該一連の印刷動作を中断させることなく、引き続き、継続して該一連の印刷動作を実行することを許可する（給紙カセット３を用いて引き続き印刷動作を継続させることを許可する）。
【０１６９】
尚且つ、該シート収納部が鍵付きシート収納部である場合においても、該シート収納部を選択することを許可して、該鍵付きシート収納部のシートを用いて印刷動作をそのまま自動的に継続する事も許可するよう制御する（例えば、給紙カセット４を用いて印刷動作を継続することも許可する）。ＣＰＵ３０２は、このような一連の動作シーケンス（第４シーケンスと称す）を、鍵付きシート収納部が開錠されている状況の場合において（図１１に示す状況の場合に）、実行するよう画像形成装置１００を制御する。
【０１７０】
このように、鍵付シート収納部の施錠状態が「施錠」の場合において鍵無しシート収納部のシートを用いて印刷を開始させる一連の印刷動作シーケンス（図１０の例を用いて説明した第３シーケンスに相当）と、該鍵付シート収納部の施錠状態が「開錠」の場合における鍵無しシート収納部のシートを用いて印刷を開始させる一連の印刷動作シーケンス（図１１の例を用いて説明した第４シーケンスに相当）の、異なる二つのシーケンスを、それぞれ、鍵付きシート収納部が施錠されている場合と開錠されている場合とで区別して、実行するようＣＰＵ３０２により制御する。
【０１７１】
以上のように、鍵付きシート収納部が施錠状態の場合においては、上記第２シーケンスを実行することを禁止して第１シーケンスを実行させるよう制御し、尚且つ、上記第４シーケンスを実行することを禁止して上記第３シーケンスを本画像形成装置１００に実行させるよう制御する。
【０１７２】
一方、鍵付きシート収納部が開錠状態の場合においては、上記第１シーケンスを実行することを禁止して第２シーケンスを実行させるよう制御し、尚且つ、上記第３シーケンスを実行することを禁止して上記第４シーケンスを本画像形成装置１００に実行させるよう制御する。
【０１７３】
尚、鍵付きシート収納部が施錠されている状態で該鍵付きシート収納部のシートを用いた一連の印刷動作を実行している最中に、該鍵付きシート収納部の用紙が無くなった等のエラー要因が発生したことにより一連の印刷動作を中断せざるを得ない状況の場合には（第１シーケンスを実行する場合に相当）、ＣＰＵ３０２は、本画像形成装置１００から、該エラー情報を、管理者により操作される遠隔のコンピュータ等の外部装置に送信するよう制御し、その旨を管理者に通報するよう制御する（図９のステップＳ９０２にてＹＥＳ→ステップＳ９０３の処理に相当）。
【０１７４】
一方、鍵付きシート収納部が開錠されている状態で該鍵付きシート収納部のシートあるいは鍵無しシート収納部のシートを用いた一連の印刷動作を実行している最中に、該シート収納部の用紙が無くなった等のエラー要因が発生した場合には（第２シーケンスや第４シーケンスを実行する場合に相当）、ＣＰＵ３０２は、本画像形成装置１００から、該エラー情報を、管理者により操作される遠隔のコンピュータ等の外部装置に送信する等の動作を実行させることなく、例えば、操作部３１２の表示部に、エラーが発生した旨を表示し、更に、そのエラーを解除する為の解除方法を示すガイダンス表示を該操作部３１２の表示部に表示させるよう制御する（図９のステップＳ９０２にてＮＯ→ステップＳ９０４の処理に相当）。
【０１７５】
このように、鍵付きシート収納部が施錠状態下においてエラーが発生した場合におけるエラー処理と、鍵付きシート収納部が開錠状態下においてエラーが発生した場合のエラー処理とを、夫々、異ならせるようにＣＰＵ３０２により画像形成装置１００を制御している。
【０１７６】
以上のように構成することで、例えば、本画像形成装置１００をコンビニエンスストアや市役所等の電子政府等の利用環境にて使用する場合でも、通常のオフィス環境に設置して利用する場合においても、それぞれ利用環境に合わせて該画像形成装置１００を活用することができ、様々な利用環境でユーザからの様々なニーズに柔軟に対応した便利なシステムを提供できる。
【０１７７】
例えば、コンビニエンスストアや電子政府環境下で本画像形成装置１００を利用する場合には、鍵付きシート収納部を施錠した状態で運用するよう、サービスマン等により設置時に設定しておき、これにより、住民票印刷等、個人情報が含まれるセキュリティレベルの高い印刷モードを安全に実行することができ、また、例えば、エラーが発生した場合でも安全且つ迅速に対応することが出来るという効果を奏す。
【０１７８】
一方で、住民票印刷等、個人情報が含まれるセキュリティレベルの高い印刷モードを実行しないような、オフィス環境においては、鍵付きシート収納部を開錠した状態のままで運用するよう、サービスマン等により設置時に設定しておき、これにより、鍵無しシート収納部（図１０の例では、給紙カセット１〜給紙カセット３）を利用する場合と同様に、鍵付きシート収納部（図１０の例では、給紙カセット４）を用いた印刷動作を実行させることができ、利用できるシート収納部の候補をふやすことが出来、ユーザにより選択できる余地の幅を広げることが出来、制限のない使い勝手の良い環境を構築でき、エラーが発生した場合でも、不必要にサービスマンに通報する事無く無駄な情報のやり取りが生じるのを未然に防止できる等の効果を奏する。
【０１７９】
尚、本実施形態は、図１２や図１３のように、鍵付きシート収納部が複数存在する場合においても適用可能であり、基本的なルールは、図１０や図１１で説明したものと同様である。例えば、図１２の場合は、上記第１シーケンスや上記第３シーケンスと同様のシーケンスを本画像形成装置１００に実行可能にし、一方、図１３の場合は、上記第２シーケンスや第４シーケンスと同様のシーケンスを本画像形成装置１００に実行させるよう制御する。
【０１８０】
図１２の状態は、鍵付きシート収納部に該当する給紙カセット４と給紙カセット５が共に施錠されている状態で、画像形成装置１００を動作させる場合の例を示している。
【０１８１】
図１２の状態下において、住民票印刷モード或いは通常のコピーモードの何れかの画像形成モードが操作部３１２を介して選択されて、印刷開始指示が操作部３１２を介して入力され、これを受け、ＣＰＵ３０２が、給紙カセット４のシートを用いて印刷処理を開始させ、現在プリント動作中であるとする。そして、印刷動作中に給紙カセット４にて紙無しエラーが発生したとする。該エラーが発生したことに応答し、ＣＰＵ３０２は、図１２のテーブルデータ１００１を参照し、その他の各給紙部の用紙サイズや用紙タイプをチェックし、且つ、その他に鍵付き給紙カセットが存在するか否か等を確認する。
【０１８２】
ＣＰＵ３０２は、この各給紙部の情報を確認した結果、施錠状態の鍵付き給紙カセット４（現在、紙無し状態）にセットされていたシートと同一サイズで且つ同一タイプのシートが別の鍵付き給紙カセット５にセットされており、尚且つ、該給紙カセット５は「施錠」状態であると判断する。この場合、ＣＰＵ３０２は、利用すべき収納部を、施錠状態の鍵付き給紙カセット４から施錠状態の鍵付き給紙カセット５に自動的に切り替えて、給紙カセット５のシートを用いた印刷処理を実行することで、当該一連の印刷動作を中断する事無く、自動的に継続させるよう制御する。
【０１８３】
但し、給紙カセット２や給紙カセット３にも、給紙カセット４にセットされていたシートと同一サイズのシートが存在しているものの、これらの給紙カセットは、鍵付きシート収納部ではない鍵無しシート収納部であるが故、給紙カセット２や給紙カセット３を用いて印刷動作を継続させることは禁止するよう制御する。
【０１８４】
又、図１２の状態で、鍵無しシート収納部に相当する給紙カセット１〜３のうちの例えば、給紙カセット２にセットされているシートを用いて印刷処理を実行している最中において、該給紙カセット２にて紙無しエラーが発生した場合に、紙無しエラーが発生した鍵無しシート収納部にセットされていたシートと少なくとも同一サイズのシートがセットされているシート収納部が存在しており、尚且つ、該シート収納部が施錠状態の鍵付きシート収納部でないことを条件に、該シート収納部のシートを用いて印刷処理を継続させる。
【０１８５】
即ち、ＣＰＵ３０２は、図１２の状態にて、印刷動作実行中に給紙カセット２にて紙無しエラーが発生した場合に、次のように制御する。
【０１８６】
ａ：給紙カセット３のシートを用いて印刷処理を継続させることは許可する（給紙カセット３は、給紙カセット２と同一サイズのシートがセットされており、且つ、鍵無しタイプのシート収納部である為）。
【０１８７】
ｂ：給紙カセット１のシートを用いて印刷処理を継続することは禁止する（給紙カセット１は、給紙カセット２と同一サイズのシートがセットされていない為）。
【０１８８】
ｃ：給紙カセット４のシートや給紙カセット５のシートを用いて印刷処理を継続させることも、禁止する（給紙カセット４や５には、給紙カセット２と同一サイズのシートがセットされているものの、いずれの給紙カセットも、鍵付きタイプのシート収納部であり、なお且つ、両方とも、施錠状態である為）。
【０１８９】
以上のような制御を、図１２のような状況にて、ＣＰＵ３０２により実行する。
【０１９０】
一方、図１３の状態は、鍵付きシート収納部に該当する給紙カセット４と給紙カセット５のうちの、給紙カセット４は「施錠」状態であり、給紙カセット５は「開錠」状態である場合において、画像形成装置１００を動作させる場合の例を示している。
【０１９１】
図１３の状態下において、住民票印刷モード或いは通常のコピーモードの何れかの画像形成モードが操作部３１２を介して選択されて、印刷開始指示が操作部３１２を介して入力され、これを受け、ＣＰＵ３０２が、給紙カセット４のシートを用いて印刷処理を開始させ、現在プリント動作中であるとする。そして、印刷動作中に給紙カセット４にて紙無しエラーが発生したとする。該エラーが発生したことに応答し、ＣＰＵ３０２は、図１２のテーブルデータ１００１を参照し、その他の各給紙部の用紙サイズや用紙タイプをチェックし、且つ、その他に鍵付き給紙カセットが存在するか否か等を確認する。
【０１９２】
ＣＰＵ３０２は、この各給紙部の情報を確認した結果、施錠状態の鍵付き給紙カセット４（現在、紙無し状態）にセットされていたシートと同一サイズで且つ同一タイプのシートが別の鍵付き給紙カセット５にセットされているものの、該給紙カセット５は「開錠」状態であると判断する。
【０１９３】
従って、ＣＰＵ３０２は、施錠状態のシート収納部（この例では、鍵付き給紙カセット４）のシートを用いて印刷処理を開始させた一連の印刷動作中において、開錠状態のシート収納部（この例では鍵付き給紙カセット５）のシートを利用することを禁止するよう、図１２の状態で、印刷動作中に給紙カセット４にて紙無しエラーが発生したら、該一連の印刷動作を、自動的に継続させる事なく、その時点で、処理を中断するよう制御する。勿論、給紙カセット２や給紙カセット３にも、給紙カセット４にセットされていたシートと同一サイズのシートが存在しているものの、これらの給紙カセットは、鍵付きシート収納部ではない鍵無しシート収納部であるが故、給紙カセット２や給紙カセット３を用いて印刷動作を継続させることも禁止するよう制御する。
【０１９４】
又、図１３の状態において、鍵無しシート収納部に相当する給紙カセット１〜３のうちの例えば、給紙カセット２にセットされているシートを用いて印刷処理を実行している最中において、該給紙カセット２にて紙無しエラーが発生した場合に、紙無しエラーが発生した鍵無しシート収納部にセットされていたシートと少なくとも同一サイズのシートがセットされているシート収納部が存在しており、尚且つ、該シート収納部が施錠状態の鍵付きシート収納部でないことを条件に、該シート収納部のシートを用いて印刷処理を継続させる。
【０１９５】
即ち、ＣＰＵ３０２は、図１３の状態で、印刷動作実行中に給紙カセット２にて紙無しエラーが発生した場合に、次のように制御する。
【０１９６】
ａ：給紙カセット３のシートを用いて印刷処理を継続させることは許可する（給紙カセット３は給紙カセット２と同一サイズのシートがセットされており、且つ、鍵無しタイプのシート収納部である為）。
【０１９７】
ｂ：給紙カセット１のシートを用いて印刷処理を継続することは禁止する（給紙カセット２と同一サイズのシートがセットされていない為）。
【０１９８】
ｃ：給紙カセット４のシートを用いて印刷処理を継続させることも禁止する（給紙カセット４は、給紙カセット２と同一サイズのシートがセットされているものの、鍵付きタイプのシート収納部であり、なお且つ、施錠状態である為）。
【０１９９】
ｄ：但し、給紙カセット５のシートを用いて印刷処理を継続させることは許可する（給紙カセット４は、鍵付きタイプのシート収納部であるものの、給紙カセット２と少なくとも同一サイズのシートがセットされており、尚且つ、施錠状態である為）。
【０２００】
以上のような制御を、図１３のような状況にて、ＣＰＵ３０２により実行する。
【０２０１】
このように、鍵付きタイプのシート収納部が複数存在する場合においても、図１２や図１３を用いて説明したような制御を実行可能にすることで、上述した効果を更に向上させることができ、鍵付きシート収納部を具備する画像形成装置にて更に自由度を広げることが出来、利便性や柔軟性を更に向上させる事が出来る。
【０２０２】
尚、本実施形態では、画像形成装置１００の操作部３１２から印刷開始指示を受付けて印刷処理を実行させる場合について主に説明した。
【０２０３】
しかし、本実施形態はこれに限定されない。例えば、ホストコンピュータ等の外部装置の操作部（例えば、プリンタドライバ等のユーザインタフェース）を介して印刷開始指示及び画像形成モードの選択指示を受付可能にし、画像データと共に該指示を本画像形成装置１００に投入可能にする。そして、上述と同様に、鍵付きシート収納部のシートや鍵無しシート収納部のシートを用いた印刷処理を、鍵付きシート収納部の施錠状態に基づいて、実行させるようＣＰＵ３０２により制御可能にしても良い。これにより、外部装置からの画像データを印刷する場合においても、上記効果を奏することが出来る。
【０２０４】
以下、図１４に示すメモリマップを参照して本発明に係る画像処理システムで読み取り可能なデータ処理プログラムの構成について説明する。
【０２０５】
図１４は、本発明に係る画像処理システムで読み取り可能な各種データ処理プログラムを格納する記憶媒体のメモリマップを説明する図である。
【０２０６】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０２０７】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【０２０８】
本実施形態における図６，図９に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０２０９】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【０２１０】
この場合、記憶媒体から読み出されたプログラムコード自体が本発明の新規な機能を実現することになり、そのプログラムコードを記憶した記憶媒体は本発明を構成することになる。
【０２１１】
従って、プログラムの機能を有していれば、オブジェクトコード、インタプリタにより実行されるプログラム、ＯＳに供給するスクリプトデータ等、プログラムの形態を問わない。
【０２１２】
プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。
【０２１３】
この場合、記憶媒体から読出されたプログラムコード自体が前述した実施形態の機能を実現することになり、そのプログラムコードを記憶した記憶媒体は本発明を構成することになる。
【０２１４】
その他、プログラムの供給方法としては、クライアントコンピュータのブラウザを用いてインターネットのホームページに接続し、該ホームページから本発明のコンピュータプログラムそのもの、もしくは、圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【０２１５】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【０２１６】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０２１７】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０２１８】
本発明は上記実施形態に限定されるものではなく、本発明の趣旨に基づき種々の変形（各実施形態の有機的な組合せを含む）が可能であり、それらを本発明の範囲から排除するものではない。
【０２１９】
本発明の様々な例と実施形態を示して説明したが、当業者であれば、本発明の趣旨と範囲は、本明細書内の特定の説明に限定されるのではない。
【０２２０】
なお、本発明は、上記した実施形態に限定されるものではなく、本発明の要旨を逸脱しない範囲内において種々変更を加え得ることは勿論である。
【０２２１】
上記実施形態によれば、透かし等の特定の用紙による公文書や証明書等の印刷サービスをコンビニエンスストアなどの公共の場所においても公共サービスを展開することができるようになる。
【０２２２】
このように、本実施形態によれば、鍵付きシート収納部を具備する装置において該鍵つきシート収納部が施錠状態でも開錠状態でも該装置を利用可能にしたうえで、鍵付きシート収納部が施錠状態の場合と、鍵付きシート収納部が開錠状態の場合とで、異なるシーケンスで該装置を自在に動作させることで、利便性とセキュリティとが両立する種々のプリントサービスを展開できる画像処理環境を構築できるという効果を奏する。又、上述の構成により、オフィス環境、市役所等、互いに環境が異なる複数種類の利用環境のぞれぞれの環境に適した柔軟で且つ使い勝手の良い便利な装置、システムを提供できるという効果を奏する。
【０２２３】
言うまでもない。
【０２２４】
本発明の様々な例と実施形態を示して説明したが、当業者であれば、本発明の趣旨と範囲は、本明細書内の特定の説明に限定されるのではなく、以下の実施態様も含まれることはいうまでもない。以下、その実施態様１〜６５について説明する。
【０２２５】
〔実施態様１〕
１つまたは複数の鍵付き給紙部を含む複数の給紙部（図１に示す鍵なし給紙カセット１０４、１０５、鍵付き給紙カセット１０６）を有する給紙手段を備える画像処理装置であって、前記複数の給紙部のうち、前記鍵付き給紙部の鍵の施錠状態を判定する判定手段（図３に示すＣＰＵ３０２がＲＯＭ３０４等に記憶される制御プログラムを実行することで判定処理を行う）と、前記判定手段による判定結果に基づいて、前記鍵付き給紙部から異なるシーケンスで用紙を給紙させる制御手段（図３に示すＣＰＵ３０２がＲＯＭ３０４等に記憶される制御プログラムを実行することで給紙制御を行う）とを有することを特徴とする画像処理装置。
【０２２６】
これにより、鍵付きカセットの施錠状態に適応したプリントサービスを実行させることができる。
【０２２７】
〔実施態様２〕
ジャムが発生したかどうかを検知する検知手段（図９に示すステップ（９０２）に対応する施錠している鍵付き給紙カセット１０６から給紙した用紙がジャムしているかどうかをチェック）と、前記検知手段がジャムの発生を検知した場合、前記判定手段による判定結果に基づいて、前記鍵付き給紙部に対して異なるリカバリ処理を行うリカバリ手段（図９に示すステップ（９０６）によるリカバリ処理）とを有することを特徴とする実施態様１記載の画像処理装置。
【０２２８】
これにより、鍵付きカセットからの給紙がジャムしている場合に、管理者の要求に適応した最適なリカバリ処理を実行させることができる。
【０２２９】
〔実施態様３〕
前記リカバリ処理は、ジャム発生を示す情報を所定の通知先に送信する処理と、ジャム発生を示す情報を操作部に表示する処理とを含むことを特徴とする実施態様２記載の画像処理装置。
【０２３０】
これにより、鍵付きカセットからの給紙がジャム状態を装置本体を操作する者と、該鍵付きカセットを管理する者の双方に認知させることができる。
【０２３１】
〔実施態様４〕
所定の印刷条件を設定する設定手段（図５の（ａ）に示すプリントサービス画面からの設定による）を備え、前記制御手段は、前記設定手段による所定の印刷条件に基づいて前記鍵付き給紙部から用紙を給紙させるシーケンスを実行する（図５の（ａ）に示すプリントサービス画面から、例えば住民票印刷の画面が選択された場合に、鍵付き給紙カセット１０６から給紙される特定用紙に受信する住民情報をプリントする処理等）ことを特徴とする実施態様１乃至３の何れかに記載の画像処理装置。
【０２３２】
これにより、特定の印刷条件が成立する場合に限定して、鍵付き給紙部からの用紙給紙を実行させ、鍵付き給紙部に収納される特定用紙が不正に使用される自体を防止することができる。
【０２３３】
〔実施態様５〕
前記設定手段による所定の印刷条件に基づいて外部装置へ特定データの取得要求を発行する発行手段（図３に示すＣＰＵ３０２が実行する図６に示すステップ（６０９）による）と、前記外部装置から前記特定データ（例えば住民票データ）を取得する取得手段（図３に示すＣＰＵ３０２が実行する図６に示すステップ（６１０）による）とを備え、前記制御手段は、前記取得手段により取得された前記特定データをラスタライズして生成される画像データを前記鍵付き給紙部から給紙される用紙に印刷するシーケンスを実行することを特徴とする実施態様４記載の画像処理装置。
【０２３４】
これにより、特定の印刷条件が成立する場合に限定して、鍵付き給紙部からの用紙給紙を実行させ、鍵付き給紙部に収納される特定用紙に外部装置から取得される特定データをプリントするプリントサービスを展開することができる。
【０２３５】
〔実施態様６〕
前記設定手段により設定される前記所定の印刷条件は、印刷種別、ユーザ情報、パスワードを含むことを特徴とする実施態様４又は５記載の画像処理装置。
【０２３６】
これにより、印刷種別、ユーザ情報、パスワードを含む特定の印刷条件が成立する場合に限定して、鍵付き給紙部からの用紙給紙を実行させ、鍵付き給紙部に収納される特定用紙に外部装置から取得される特定データをプリントするプリントサービスを展開することができる。
【０２３７】
〔実施態様７〕
前記発行手段は、前記判定手段により前記鍵付き給紙部の鍵の施錠状態が施錠されている状態である場合に、前記設定手段による所定の印刷条件に基づいて外部装置へ特定データの取得要求を発行することを特徴とする実施態様５記載の画像処理装置。
【０２３８】
これにより、鍵付き給紙部の施錠状態が確認されない場合には、特定のプリントサービス要求を拒否して、特定プリントサービスのセキュリティを向上させることができる。
【０２３９】
〔実施態様８〕
前記制御手段は、特定の種類の印刷ジョブを印刷する場合のみ、鍵付き給紙部より特定の用紙を給紙するシーケンスを実行することを特徴とする実施態様１乃至７の何れかに記載の画像処理装置。
【０２４０】
これにより、鍵付き給紙部に収納される特定用紙への印刷ジョブ以外では、鍵付き給紙部に収納されている特定用紙の給紙を制限することができる。
【０２４１】
〔実施態様９〕
前記特定の種類の印刷ジョブは、特定文書を印刷する印刷ジョブを含むことを特徴とする実施態様８記載の画像処理装置。
【０２４２】
これにより、鍵付き給紙部に収納される特定用紙へ特定文書を印刷する印刷ジョブ以外では、鍵付き給紙部に収納されている特定用紙の給紙を制限することができる。
【０２４３】
〔実施態様１０〕
前記特定文書は、住民票、有価証券を含むことを特徴とする実施態様９記載の画像処理装置。
【０２４４】
これにより、鍵付き給紙部に収納される特定用紙へ住民票、有価証券等の特定文書を印刷する印刷ジョブ以外では、鍵付き給紙部に収納されている特定用紙の給紙を制限することができる。
【０２４５】
〔実施態様１１〕
印刷処理に課せられる料金を決済する決済手段（図３に示すＣＰＵ３０２が実行する図６に示すステップ（６０８）による）を備え、前記制御手段は、前記決済手段により所定の料金を決済できた場合に、鍵付き給紙部より用紙を給紙するシーケンスを実行することを特徴とする実施態様１乃至１０の何れかに記載の画像処理装置。
【０２４６】
これにより、鍵付き給紙部に収納されている特定用紙の給紙してプリントサービスを実行する場合の対価を徴収するプリントサービスを展開できる。
【０２４７】
〔実施態様１２〕
前記設定手段により設定されるユーザ情報、パスワードに基づいて認証処理を行う個人認証手段（図１に示した住民票サーバ１１１との通信により認証処理を行う）を備え、前記制御手段は、前記個人認証手段により特定の操作者と認証できた場合に、鍵付き給紙部より用紙を給紙するシーケンスを実行することを特徴とする実施態様１乃至１１の何れかに記載の画像処理装置。
【０２４８】
これにより、認証結果に応じて、鍵付き給紙部に収納される特定用紙へ特定文書を印刷する印刷ジョブ以外では、鍵付き給紙部に収納されている特定用紙の給紙を制限することができる。
【０２４９】
〔実施態様１３〕
前記個人認証手段は、指紋照合により特定の操作者か否かを認証することを特徴とする実施態様１２記載の画像処理装置。
【０２５０】
これにより、プリントサービス要求者から得られる個体情報を利用した精度の高い認証処理を実行して、その認証結果に応じて、鍵付き給紙部に収納される特定用紙へ特定文書を印刷する印刷ジョブ以外では、鍵付き給紙部に収納されている特定用紙の給紙を制限することができる。
【０２５１】
〔実施態様１４〕
前記制御手段は、鍵が開錠状態である場合、鍵付き給紙部を鍵なし給紙カセットとみなしてシーケンスを実行することを特徴とする実施態様１乃至１２の何れかに記載の画像処理装置。
【０２５２】
これにより、鍵付き給紙部に特定用紙または通常の用紙のいずれも収納して、収納する用紙の用途に応じて、鍵付き給紙部のシーケンスを自在に変更することができる。
【０２５３】
〔実施態様１５〕
前記１つ以上の鍵付き給紙部は、用紙残量センサ（図示しない）を備え、前記制御手段は、前記外部装置に特定用紙の補給を依頼する通知を行うことを特徴とする実施態様１乃至１４の何れかに記載の画像処理装置。
【０２５４】
これにより、鍵付きカセットの用紙残量が少なくなった場合に、該鍵付きカセットを管理する外部装置に通知することができる。
【０２５５】
〔実施態様１６〕
前記制御手段は、前記判定手段が鍵付き給紙部が施錠状態から開錠状態に変化したと判定した場合に、その旨を前記外部装置に通知することを特徴とする実施態様１乃至１５の何れかに記載の画像処理装置。
【０２５６】
これにより、鍵付きカセットの施錠状態の変化を捉えて、該鍵付きカセットの施錠／解錠状態を外部装置に通知することができる。
【０２５７】
〔実施態様１７〕
前記通知は、電子メールによる送信処理、電話回線に対する発呼処理にて前記外部装置に通知することを特徴とする実施態様１６記載の画像処理装置。
【０２５８】
これにより、鍵付きカセットの施錠状態の変化を捉えて、該鍵付きカセットの施錠／解錠状態を種々の通信媒体を利用して、外部装置に通知することができる。
【０２５９】
〔実施態様１８〕
前記制御手段は、前記判定手段による判定結果に基づいて、前記鍵付き給紙部からの給紙を制限することを特徴とする実施態様１乃至１７の何れかに記載の画像処理装置。
【０２６０】
これにより、鍵付き給紙部の施錠状態に適応したプリントサービスを制限することができる。
【０２６１】
〔実施態様１９〕
前記制御手段は、前記判定手段による判定結果に基づいて、前記鍵付き給紙部を手動選択候補から除外することを特徴とする実施態様１８記載の画像処理装置。
【０２６２】
これにより、鍵付き給紙部の施錠状態に適応して、鍵付き鍵付き給紙部を選択できないように制限することができる。
【０２６３】
〔実施態様２０〕
前記制御手段は、前記判定手段による判定結果に基づいて、前記鍵付き給紙部を手動選択表示候補から除外することを特徴とする実施態様１８記載の画像処理装置。
【０２６４】
これにより、鍵付き給紙部の施錠状態に適応して、選択可能な給紙部表示から鍵付き鍵付き給紙部を除外することができる。
【０２６５】
〔実施態様２１〕
前記制御手段は、前記判定手段による判定結果に基づいて、前記鍵付き給紙部を鍵なしの給紙部と異なる形態で操作部に表示することを特徴とする実施態様１乃至２０の何れかに記載の画像処理装置。
【０２６６】
これにより、鍵付き給紙部を鍵なしの給紙部とを視覚的に容易に見極めることができ、操作性が向上する。
【０２６７】
〔実施態様２２〕
１つまたは複数の鍵付き給紙部を含む複数の給紙部を有する給紙手段を備える画像処理装置における画像処理方法であって、前記複数の給紙部のうち、前記鍵付き給紙部の鍵の施錠状態を判定する判定ステップ（図示しないステップで、ＣＰＵ３０２により実行される）と、前記判定ステップによる判定結果に基づいて、前記鍵付き給紙部から異なるシーケンスで用紙を給紙させる制御ステップと、
を有することを特徴とする画像処理方法。
【０２６８】
これにより、実施態様１と同等の効果が期待できる。
【０２６９】
〔実施態様２３〕
ジャムが発生したどうかを検知する検知ステップと、前記検知ステップがジャムの発生を検知した場合、前記判定ステップによる判定結果に基づいて、前記鍵付き給紙部に対して異なるリカバリ処理を行うリカバリステップと、を有することを特徴とする実施態様２２記載の画像処理方法。
【０２７０】
これにより、実施態様２と同等の効果が期待できる。
【０２７１】
〔実施態様２４〕
前記リカバリ処理は、ジャム発生を示す情報を所定の通知先に送信する処理と、ジャム発生を示す情報を操作部に表示する処理とを含むことを特徴とする実施態様２２記載の画像処理方法。
【０２７２】
これにより、実施態様３と同等の効果が期待できる。
【０２７３】
〔実施態様２５〕
所定の印刷条件を設定する設定ステップを備え、
前記制御ステップは、前記設定ステップによる所定の印刷条件に基づいて前記鍵付き給紙部から用紙を給紙させるシーケンスを実行することを特徴とする実施態様２２記載の画像処理方法。
【０２７４】
これにより、実施態様４と同等の効果が期待できる。
【０２７５】
〔実施態様２６〕
前記設定ステップによる所定の印刷条件に基づいて外部装置へ特定データの取得要求を発行する発行ステップと、
前記外部装置から前記特定データを取得する取得ステップとを備え、
前記制御ステップは、前記取得ステップにより取得された前記特定データをラスタライズして生成される画像データを前記鍵付き給紙部から給紙される用紙に印刷するシーケンスを実行することを特徴とする実施態様２２記載の画像処理方法。
【０２７６】
これにより、実施態様５と同等の効果が期待できる。
【０２７７】
〔実施態様２７〕
前記設定ステップにより設定される前記所定の印刷条件は、印刷種別、ユーザ情報、パスワードを含むことを特徴とする実施態様２２記載の画像処理方法。
【０２７８】
これにより、実施態様６と同等の効果が期待できる。
【０２７９】
〔実施態様２８〕
前記発行ステップは、前記判定ステップにより前記鍵付き給紙部の鍵の施錠状態が施錠されている状態である場合に、前記設定ステップによる所定の印刷条件に基づいて外部装置へ特定データの取得要求を発行することを特徴とする実施態様２２記載の画像処理方法。
【０２８０】
これにより、実施態様７と同等の効果が期待できる。
【０２８１】
〔実施態様２９〕
前記制御ステップは、特定の種類の印刷ジョブを印刷する場合のみ、鍵付き給紙部より特定の用紙を給紙するシーケンスを実行することを特徴とする実施態様２２記載の画像処理方法。
【０２８２】
これにより、実施態様８と同等の効果が期待できる。
【０２８３】
〔実施態様３０〕
実施態様２２〜２９のいずれかに記載の画像処理方法を実行させるためのプログラムを格納したことを特徴とするコンピュータが読み取り可能な記憶媒体。
【０２８４】
これにより、実施態様２２〜２９と同等の効果が期待できる。
【０２８５】
〔実施態様３１〕
鍵付きシート収納手段（例えば図１に示す鍵付きカセット１０６）を具備する画像形成装置であって、前記鍵付きシート収納手段が施錠された状態で該鍵付きシート収納手段を利用することを許可する制御手段（図３に示すＣＰＵ３０２であって、ＲＯＭ３０４等に記憶される制御プログラムを実行して制御する）を有し、更に、前記制御手段は、前記鍵付きシート収納手段が開錠された状態で該鍵付きシート収納手段を利用することを許可するが、前記鍵付きシート収納手段が施錠された状態で該鍵付きシート収納手段を利用する場合における前記画像形成装置の動作と同じ動作を前記鍵付きシート収納手段が開錠された状態で該鍵付きシート収納手段を利用する場合において実行することを禁止することを特徴とする画像形成装置。
【０２８６】
これにより、鍵付きシート収納手段の施錠状態に適応して、異なるシーケンスを実行して、鍵付きシート収納手段からの給紙制御を切り替えることができる。
【０２８７】
〔実施態様３２〕
鍵付きシート収納手段を具備する画像形成装置であって、該鍵付きシート収納手段を利用した動作として、第１動作と第２動作を前記画像形成装置により選択的に実行させる制御手段（図３に示すＣＰＵ３０２であって、ＲＯＭ３０４等に記憶される制御プログラムを実行して第１動作と第２動作とを制御する）を有し、前記制御手段は、前記鍵付きシート収納手段の施錠状態が第１状態において前記第１動作を前記画像形成装置に実行させ、一方、前記鍵付きシート収納手段の施錠状態が第２状態において前記第１動作の実行を禁止して前記第２動作を前記画像形成装置により実行可能にすることを特徴とする画像形成装置。
【０２８８】
これにより、鍵付きシート収納手段の施錠状態に適応して、異なる第１動作と第２動作に基づくシーケンスを実行して、鍵付きシート収納手段からの給紙制御を切り替えることができる。
【０２８９】
〔実施態様３３〕
鍵付きタイプのシート収納手段と鍵無しタイプのシート収納手段の両方を含む複数のシート収納手段を具備する画像形成装置であって、前記鍵付きタイプのシート収納手段のシートを用いた第１印刷処理を一連の印刷動作において実行することを許可し、且つ、前記鍵無しタイプのシート収納手段のシートを用いた第２印刷処理を前記一連の印刷動作において実行することを禁止する、第１動作と、
前記第１印刷処理を前記一連の印刷動作において実行することを許可し、且つ、前記第２処理を前記一連の印刷動作において実行することを許可する、第２動作と、のうちの、前記第１動作を前記鍵付きシート収納手段の施錠状態が第１状態の場合において前記画像形成装置により実行可能にする一方で、前記第２動作を前記鍵付きシート収納手段の施錠状態が第２状態の場合において前記画像形成装置により実行可能にする制御手段（図３に示すＣＰＵ３０２であって、ＲＯＭ３０４等に記憶される制御プログラムを実行して第１動作と第２動作とを制御する）を有することを特徴とする画像形成装置。
【０２９０】
これにより、鍵付きシート収納手段の施錠状態に適応して、異なる第１動作と第２動作に基づくシーケンスを実行して、鍵付きシート収納手段からの給紙制御を切り替えることができる。
【０２９１】
〔実施態様３４〕
鍵付きタイプのシート収納手段と鍵無しタイプのシート収納手段の両方を含む複数のシート収納手段を具備する画像形成装置であって、前記鍵付きタイプのシート収納手段のシートを用いて印刷処理を開始した後に  前記鍵無しタイプのシート収納手段のシートを用いて印刷処理を前記画像形成装置に継続させること禁止する、第１動作と、前記鍵付きタイプのシート収納手段のシートを用いて印刷処理を開始した後に前記鍵無しタイプのシート収納手段のシートを用いて印刷処理を前記画像形成装置に継続させることを許可する、第２動作と、のうちの、前記第１動作を前記鍵付きシート収納手段の施錠状態が第１状態の場合において前記画像形成装置により実行可能にする一方で、前記第２動作を前記鍵付きシート収納手段の施錠状態が第２状態の場合において前記画像形成装置により実行可能にする制御手段鍵付きシート収納手段の施錠状態に適応して、異なる第１動作と第２動作に基づくシーケンスを実行して、鍵付きシート収納手段からの給紙制御を切り替えることができることを特徴とする画像形成装置。
【０２９２】
これにより、鍵付きシート収納手段の施錠状態に適応して、異なる第１動作と第２動作に基づくシーケンスを実行して、鍵付きシート収納手段からの給紙制御を切り替えることができる。
【０２９３】
〔実施態様３５〕
鍵付きタイプのシート収納手段と鍵無しタイプのシート収納手段の両方を含む複数のシート収納手段を具備する画像形成装置であって、前記鍵無しタイプのシート収納手段のシートを用いて印刷処理を開始した後に前記鍵付きタイプのシート収納手段のシートを用いて印刷処理を前記画像形成装置に継続させること禁止する、第１動作と、前記鍵無しタイプのシート収納手段のシートを用いて印刷処理を開始した後に前記鍵付きタイプのシート収納手段のシートを用いて印刷処理を前記画像形成装置に継続させることを許可する、第２動作と、のうちの、前記第１動作を前記鍵付きシート収納手段の施錠状態が第１状態の場合において前記画像形成装置により実行可能にする一方で、前記第２動作を前記鍵付きシート収納手段の施錠状態が第２状態の場合において前記画像形成装置により実行可能にする制御手段（図３に示すＣＰＵ３０２であって、ＲＯＭ３０４等に記憶される制御プログラムを実行して第１動作と第２動作とを制御する）を有することを特徴とする画像形成装置。
【０２９４】
これにより、鍵付きシート収納手段の施錠状態に適応して、異なる第１動作と第２動作に基づくシーケンスを実行して、鍵付きシート収納手段からの給紙制御を切り替えることができる。
【０２９５】
〔実施態様３６〕
鍵付きタイプのシート収納手段と鍵無しタイプのシート収納手段の両方を含む複数のシート収納手段を具備し、第１画像形成モード及び第２画像形成モードを含む複数の画像形成モードを有する、画像形成装置であって、
前記鍵付きシート収納手段の施錠状態が第１状態の場合において前記第１画像形成モードのユーザによる選択を許可する一方で、前記第１状態にてユーザにより選択を許可する前記第１画像形成モードの選択を前記鍵付きシート収納手段の施錠状態が第２状態の場合において禁止する、制御手段を有することを特徴とする画像形成装置。
【０２９６】
これにより、鍵付きシート収納手段の施錠状態が第１状態か、第２状態に適応して、異なる第１画像形成モード動作と第２画像形成モード動作に基づくシーケンスを実行して、鍵付きシート収納手段からの給紙制御を切り替えることができる。
【０２９７】
〔実施態様３７〕
前記制御手段は、前記第２状態にてユーザにより選択を許可する前記第２画像形成モードの選択を前記第１状態において許可することを特徴とする実施態様３６記載の画像形成装置。
【０２９８】
これにより、鍵付きシート収納手段の施錠状態が第１状態か、第２状態に適応して、異なる第１画像形成モード動作と第２画像形成モード動作に基づくシーケンスを実行して、鍵付きシート収納手段からの給紙制御を切り替えることができる。
【０２９９】
〔実施態様３８〕
前記第１画像形成モードは個人情報を含んだデータの印刷処理を行う画像形成モードを含み、前記第２画像形成モードは個人情報を含んでいないデータの印刷処理を行う画像形成モードを含むことを特徴とする実施態様３６又は３７記載の画像形成装置。
【０３００】
これにより、鍵付きシート収納手段の施錠状態が第１状態か、第２状態に適応して、異なる第１画像形成モード動作と第２画像形成モード動作に基づくシーケンスを実行して、鍵付きシート収納手段からの給紙制御を切り替えることができる。
【０３０１】
〔実施態様３９〕
前記第１画像形成モードは前記第２画像形成モードよりもセキュリティレベルの高い印刷モードを含むことを特徴とする実施態様３６乃至３８の何れかに記載の画像形成装置。
【０３０２】
これにより、鍵付きシート収納手段の施錠状態が第１状態か、第２状態に適応して、セキュリティレベルが異なる第１画像形成モード動作と第２画像形成モード動作に基づくシーケンスを実行して、鍵付きシート収納手段からの給紙制御を切り替えることができる。
【０３０３】
〔実施態様４０〕
前記第１画像形成モードは住民票印刷モードを含み、前記第２画像形成モードは、前記住民票印刷モードとは異なる画像形成モードを含むことを特徴とする実施態様３６乃至３９の何れかに記載の画像形成装置。
【０３０４】
鍵付きシート収納手段の施錠状態が第１状態か、第２状態に適応して、セキュリ  これにより、第１画像形成モード動作と第２画像形成モード動作に基づくシーケンスを実行して、すなわち、鍵付きシート収納手段からの給紙制御を切り替えて、住民票印刷モードと、該住民票印刷モードとは異なる画像形成モードを切り替えて実行することができる。
【０３０５】
〔実施態様４１〕
前記第２画像形成モードは通常コピーモードを含み、前記第１画像形成モードは、前記通常コピーモードとは異なる画像形成モードを含むことを特徴とする実施態様３６乃至４０の何れかに記載の画像形成装置。
【０３０６】
これにより、第１画像形成モード動作と第２画像形成モード動作に基づくシーケンスを実行して、鍵付きシート収納手段からの給紙制御を切り替えて異なる画像形成を実行することができる。
【０３０７】
〔実施態様４２〕
前記制御手段は、前記第１状態において前記画像形成装置に対する指示を入力する為の第１表示を操作部に実行させる一方で、前記第２状態において前記第１表示とは異なる第２表示を前記操作部に実行させることを特徴とする実施態様３２乃至４１の何れかに記載の画像形成装置。
【０３０８】
これにより、鍵付きシート収納手段の施錠状態が第１状態か、第２状態に適応して、操作部に表示する表示態様を切り替えることができる。
【０３０９】
〔実施態様４３〕
前記制御手段は、
前記第１状態において前記画像形成装置にてエラーが発生した場合に第１エラー処理を実行させる一方で、前記第２状態において画像形成装置にてエラーが発生した場合に前記第１エラー処理とは異なる第２エラー処理を実行させることを特徴とする実施態様３２乃至４２の何れかに記載の画像形成装置。
【０３１０】
これにより、鍵付きシート収納手段の施錠状態が第１状態か、第２状態に適応して、エラー処理内容を切り替えることができる。
【０３１１】
〔実施態様４４〕
前記第１エラー処理は、前記画像形成装置とは異なる遠隔装置にエラーが発生した旨を通報する外部通報処理を含み、前記第２エラー処理は、前記画像形成装置の操作部にエラーが発生した旨を報知させる処理を含むことを特徴とする実施態様４３記載の画像形成装置。
【０３１２】
これにより、鍵付きシート収納手段の施錠状態が第１状態か、第２状態に適応して、エラー処理内容を切り替えることができる。
【０３１３】
〔実施態様４５〕
前記第１状態は前記鍵付きシート収納手段が施錠された状態を含み、前記第２状態は前記鍵付きシート収納手段が開錠された状態を含むことを特徴とする実施態様３２乃至４４の何れかに記載の画像形成装置。
【０３１４】
これにより、鍵付きシート収納手段の施錠状態が施錠されている第１状態か、施錠されていない第２状態に適応して、シーケンスを切り替えることができる。
【０３１５】
〔実施態様４６〕
前記画像形成装置は、スキャナユニットからの画像データ及び外部装置からの画像データの少なくとも何れかの画像データを印刷可能な装置を含むことを特徴とする実施態様３１乃至４５の何れかに記載の画像形成装置。
【０３１６】
これにより、コピー処理とプリント処理との双方を実行可能として、鍵付きシート収納手段の施錠状態に適応して、給紙される用紙へのプリント処理を切り替えることができる。
【０３１７】
〔実施態様４７〕
鍵付きシート収納手段を具備する画像形成装置の制御方法であって、
前記鍵付きシート収納手段が施錠された状態で該鍵付きシート収納手段を利用することを許可する制御ステップを有し、更に、前記制御ステップは、前記鍵付きシート収納手段が開錠された状態で該鍵付きシート収納手段を利用することも許可するが、前記鍵付きシート収納手段が施錠された状態で該鍵付きシート収納手段を利用する場合における前記画像形成装置の動作と同じ動作を前記鍵付きシート収納手段が開錠された状態で該鍵付きシート収納手段を利用する場合において実行することを禁止することを特徴とする制御方法。
【０３１８】
これにより、実施態様３１と同等の効果を奏する。
【０３１９】
〔実施態様４８〕
鍵付きシート収納手段を具備する画像形成装置の制御方法であって、
該鍵付きシート収納手段を利用した動作として、第１動作と第２動作を前記画像形成装置により選択的に実行させる制御ステップを有し、前記制御ステップは、前記鍵付きシート収納手段の施錠状態が第１状態において前記第１動作を前記画像形成装置により実行可能にする一方で、前記鍵付きシート収納手段の施錠状態が第２状態において前記第１動作の実行を禁止して前記第２動作を前記画像形成装置により実行可能にすることを特徴とする制御方法。
【０３２０】
これにより、実施態様３２と同等の効果を奏する。
【０３２１】
〔実施態様４９〕
鍵付きタイプのシート収納手段と鍵無しタイプのシート収納手段の両方を含む複数のシート収納手段を具備する画像形成装置の制御方法であって、前記鍵付きタイプのシート収納手段のシートを用いた第１印刷処理を一連の印刷動作において実行することを許可し、且つ、前記鍵無しタイプのシート収納手段のシートを用いた第２印刷処理を前記一連の印刷動作において実行することを禁止する、第１動作と、前記第１印刷処理を前記一連の印刷動作において実行することを許可し、且つ、前記第２処理を前記一連の印刷動作において実行することを許可する、第２動作と、のうちの、前記第１動作を前記鍵付きシート収納手段の施錠状態が第１状態の場合において前記画像形成装置により実行可能にする一方で、前記第２動作を前記鍵付きシート収納手段の施錠状態が第２状態の場合において前記画像形成装置により実行可能にする制御ステップを有することを特徴とする制御方法。
【０３２２】
これにより、実施態様３３と同等の効果を奏する。
【０３２３】
〔実施態様５０〕
鍵付きタイプのシート収納手段と鍵無しタイプのシート収納手段の両方を含む複数のシート収納手段を具備する画像形成装置の制御方法であって、前記鍵付きタイプのシート収納手段のシートを用いて印刷処理を開始した後に前記鍵無しタイプのシート収納手段のシートを用いて印刷処理を前記画像形成装置に継続させること禁止する、第１動作と、前記鍵付きタイプのシート収納手段のシートを用いて印刷処理を開始した後に前記鍵無しタイプのシート収納手段のシートを用いて印刷処理を前記画像形成装置に継続させることを許可する、第２動作と、のうちの、前記第１動作を前記鍵付きシート収納手段の施錠状態が第１状態の場合において前記画像形成装置により実行可能にする一方で、前記第２動作を前記鍵付きシート収納手段の施錠状態が第２状態の場合において前記画像形成装置により実行可能にする制御ステップを有することを特徴とする制御方法。
【０３２４】
これにより、実施態様３４と同等の効果を奏する。
【０３２５】
〔実施態様５１〕
鍵付きタイプのシート収納手段と鍵無しタイプのシート収納手段の両方を含む複数のシート収納手段を具備する画像形成装置の制御方法であって、前記鍵無しタイプのシート収納手段のシートを用いて印刷処理を開始した後に前記鍵付きタイプのシート収納手段のシートを用いて印刷処理を前記画像形成装置に継続させること禁止する、第１動作と、前記鍵無しタイプのシート収納手段のシートを用いて印刷処理を開始した後に前記鍵付きタイプのシート収納手段のシートを用いて印刷処理を前記画像形成装置に継続させることを許可する、第２動作と、のうちの、前記第１動作を前記鍵付きシート収納手段の施錠状態が第１状態の場合において前記画像形成装置により実行可能にする一方で、前記第２動作を前記鍵付きシート収納手段の施錠状態が第２状態の場合において前記画像形成装置により実行可能にする制御ステップを有することを特徴とする制御方法。
【０３２６】
これにより、実施態様３５と同等の効果を奏する。
【０３２７】
〔実施態様５２〕
鍵付きタイプのシート収納手段と鍵無しタイプのシート収納手段の両方を含む複数のシート収納手段を具備し、第１画像形成モード及び第２画像形成モードを含む複数の画像形成モードを有する、画像形成装置の制御方法であって、前記鍵付きシート収納手段の施錠状態が第１状態の場合において前記第１画像形成モードのユーザによる選択を許可する一方で、前記第１状態にてユーザにより選択を許可する前記第１画像形成モードの選択を前記鍵付きシート収納手段の施錠状態が第２状態の場合において禁止する、制御ステップを有することを特徴とする制御方法。
【０３２８】
これにより、実施態様３６と同等の効果を奏する。
【０３２９】
〔実施態様５３〕
前記制御ステップは、
前記第２状態にてユーザにより選択を許可する前記第２画像形成モードの選択を前記第１状態において許可することを特徴とする実施態様５２記載の制御方法。
【０３３０】
これにより、実施態様３７と同等の効果を奏する。
【０３３１】
〔実施態様５４〕
前記第１画像形成モードは個人情報を含んだデータの印刷処理を行う画像形成モードを含み、前記第２画像形成モードは個人情報を含んでいないデータの印刷処理を行う画像形成モードを含むことを特徴とする実施態様５２又は５３記載の制御方法。
【０３３２】
これにより、実施態様３８と同等の効果を奏する。
【０３３３】
〔実施態様５５〕
前記第１画像形成モードは前記第２画像形成モードよりもセキュリティレベルの高い印刷モードを含むことを特徴とする実施態様５２乃至５４の何れかに記載の制御方法。
【０３３４】
これにより、実施態様３９と同等の効果を奏する。
【０３３５】
〔実施態様５６〕
前記第１画像形成モードは住民票印刷モードを含み、前記第２画像形成モードは、前記住民票印刷モードとは異なる画像形成モードを含むことを特徴とする実施態様５２乃至５５の何れかに記載の制御方法。
【０３３６】
これにより、実施態様４０と同等の効果を奏する。
【０３３７】
〔実施態様５７〕
前記第２画像形成モードは通常コピーモードを含み、前記第１画像形成モードは、前記通常コピーモードとは異なる画像形成モードを含むことを特徴とする実施態様５２乃至５６の何れかに記載の制御方法。
【０３３８】
これにより、実施態様４１と同等の効果を奏する。
【０３３９】
〔実施態様５８〕
前記制御ステップは、前記第１状態において前記画像形成装置に対する指示を入力する為の第１表示を操作部に実行させる一方で、前記第２状態において前記第１表示とは異なる第２表示を前記操作部に実行させることを特徴とする実施態様４８乃至５７の何れかに記載の制御方法。
【０３４０】
これにより、実施態様４２と同等の効果を奏する。
【０３４１】
〔実施態様５９〕
前記制御ステップは、
前記第１状態において前記画像形成装置にてエラーが発生した場合に第１エラー処理を実行させる一方で、前記第２状態において画像形成装置にてエラーが発生した場合に前記第１エラー処理とは異なる第２エラー処理を実行させることを特徴とする実施態様４８乃至５８の何れかに記載の制御方法。
【０３４２】
これにより、実施態様４３と同等の効果を奏する。
【０３４３】
〔実施態様６０〕
前記第１エラー処理は、前記画像形成装置とは異なる遠隔装置にエラーが発生した旨を通報する外部通報処理を含み、前記第２エラー処理は、前記画像形成装置の操作部にエラーが発生した旨を報知させる処理を含むことを特徴とする実施態様５９記載の制御方法。
【０３４４】
これにより、実施態様４４と同等の効果を奏する。
【０３４５】
〔実施態様６１〕
前記第１状態は前記鍵付きシート収納手段が施錠された状態を含み、前記第２状態は前記鍵付きシート収納手段が開錠された状態を含むことを特徴とする実施態様４８乃至６０の何れかに記載の制御方法。
【０３４６】
これにより、実施態様４５と同等の効果を奏する。
【０３４７】
〔実施態様６２〕
前記画像形成装置は、スキャナユニットからの画像データ及び外部装置からの画像データの少なくとも何れかの画像データを印刷可能な装置を含むことを特徴とする実施態様４７乃至６１の何れかに記載の制御方法。
【０３４８】
これにより、実施態様４６と同等の効果を奏する。
【０３４９】
〔実施態様６３〕
実施態様４７乃至６２の何れかに記載の制御方法を実行する為のプログラムを記憶したことを特徴とするコンピュータ読取可能な記憶媒体。
【０３５０】
これにより、実施態様４７乃至６２と同等の効果を奏する。
【０３５１】
〔実施態様６４〕
実施態様２２乃至２９の何れかに記載の画像処理方法を実行させることを特徴とするプログラム。
【０３５２】
これにより、実施態様２２乃至２９と同等の効果を奏する。
【０３５３】
〔実施態様６５〕
実施態様４７乃至６２の何れかに記載の制御方法を実行させることを特徴とするプログラム。
【０３５４】
これにより、実施態様４７乃至６２と同等の効果を奏する。
【図面の簡単な説明】
【０３５５】
【図１】本発明の第１実施形態を示す画像処理システムの一例を示すシステム構成図である。
【図２】図１に示した鍵付き給紙カセットに収容される特定記録媒体とその印刷結果を示す図である。
【図３】図１に示したカラー複写機の構成を説明するブロック図である。
【図４】図１に示したカラー複写機の鍵付き給紙カセットの鍵による施錠／解錠機構を説明する要部断面図である。
【図５】図３に示した操作部に表示されるプリントサービスメニュー画面の一例を示す図である。
【図６】本発明に係る画像処理装置における第１のデータ処理手順の一例を示すフローチャートである。
【図７】図３に示した操作部に表示されるコピーメニュー画面の一例を示す図である。
【図８】図３に示した操作部に表示されるコピーメニュー画面におけるの要部設定画面の一例を示す図である。
【図９】本発明に係る画像処理装置における第２のデータ処理手順の一例を示すフローチャートである。
【図１０】本実施形態の制御例を説明する為の図である。
【図１１】本実施形態の制御例を説明する為の図である。
【図１２】本実施形態の制御例を説明する為の図である。
【図１３】本実施形態の制御例を説明する為の図である。
【図１４】本発明に係る画像処理システムで読み取り可能な各種データ処理プログラムを格納する記憶媒体のメモリマップを説明する図である。
【符号の説明】
【０３５６】
３０２  ＣＰＵ
３０３  ＲＡＭ
３０４  ＲＯＭ
３０６  ＨＤＤ
３０７  スキャン部
３０８  プリンタ部
３０９  画像処理部
３１２  操作部
【図１】
2005178359.tif 000003
【図２】
2005178359.tif 000004
【図３】
2005178359.tif 000005
【図４】
2005178359.tif 000006
【図５】
2005178359.tif 000007
【図６】
2005178359.tif 000008
【図７】
2005178359.tif 000009
【図８】
2005178359.tif 000010
【図９】
2005178359.tif 000011
【図１０】
2005178359.tif 000012
【図１１】
2005178359.tif 000013
【図１２】
2005178359.tif 000014
【図１３】
2005178359.tif 000015
【図１４】
2005178359.tif 000016